(57)【要約】不織メッシュ材料の一つ以上の層と、選択的浮力瘤を有する浮島。メッシュ材料には、スプレイ式エラストマを選択的に塗布するか、もしくは栄養分または微生物を接種する。島は、浮力成長媒体、浮き輪、浮力ブロック、組み立て式種子ブランケット、浸漬機能、毛細管、吸い上げユニット、または釣鐘浮遊ユニットの一つ以上を有することができる。より大きな実施例は、不織メッシュ材料、浮力瘤、補助浮遊ユニット、踏みパッド、および選択的負荷分散部材からなる。他の選択的機能には、踏み石浮遊組み立て品、踏み石／垂直浮力部材浮遊組み立て品、および浮き丸太組み立て品が含まれる。島の浮力は、水平部材の剛性枠組み、島内で垂直に移動可能な垂直部材、または組み立て式浮遊管および交差部材の枠組みの一つ以上を用いて調整できる。この発明はさらに、ボート結合場所を備えた浮島を含んでいる。
2008500062.tif 000002
【特許請求の範囲】
【請求項１】
一つ以上の層を有する浮島であって、前記層の少なくとも一つが透水性不織メッシュ材料からなる浮島。
【請求項２】
不織メッシュ材料をスプレイ式エラストマで被覆した請求項１記載の浮島。
【請求項３】
不織メッシュ材料の少なくとも一つの層に、栄養分を接種した請求項１記載の浮島。
【請求項４】
少なくとも一つの層に、好気性微生物を接種した請求項１記載の浮島。
【請求項５】
少なくとも一つの層に、嫌気性微生物を接種した請求項１記載の浮島。
【請求項６】
さらに、人工植生を有する請求項１記載の浮島。
【請求項７】
一つ以上の層を有する浮島であって、少なくとも一つの前記層が透水性不織メッシュ材料と浮力瘤からなり、前記浮力瘤をメッシュ材料内に形成した浮島。
【請求項８】
一つ以上の層を有する浮島であって、少なくとも一つの前記層が透水性不織メッシュ材料と浮力瘤からなり、組み立て作業中に前記浮力瘤をメッシュ材料内に一体化した浮島。
【請求項９】
浮力瘤が、独立気泡高分子発泡体からなる請求項７または８記載の浮島。
【請求項１０】
浮力瘤が、コルクからなる請求項７または８記載の浮島。
【請求項１１】
浮力瘤が、ポリスチレンからなる請求項７または８記載の浮島。
【請求項１２】
浮力瘤が、中空プラスチック球からなる請求項７または８記載の浮島。
【請求項１３】
不織メッシュ材料の一つ以上の層を有する浮島であって、前記層を接着剤によって結合した浮島。
【請求項１４】
接着剤が、ホットメルト接着剤を有する請求項１３記載の浮島。
【請求項１５】
接着剤が、ポリウレタン発泡体を有する請求項１３記載の浮島。
【請求項１６】
接着剤が、大豆ベース発泡体を有する請求項１３記載の浮島。
【請求項１７】
不織メッシュ材料の一つ以上の層を有する浮島であって、植物または浮遊材料のために上部の一層または二層に穴を形成した浮島。
【請求項１８】
不織メッシュ材料の屑片、浮力瘤、および外側カバーを有する浮島。
【請求項１９】
加熱可能な型枠内に不織メッシュ材料の屑片の束を配置し、不織メッシュ材料の融点まで型枠を加熱し、束の外側の繊維を軟化および溶解可能にすることによって、外側カバーを製造した請求項１８記載の浮島。
【請求項２０】
溶媒を用いて、不織メッシュ材料の屑片の束の外側繊維を軟化および溶解することによって、外側カバーを製造した請求項１８記載の浮島。
【請求項２１】
溶媒が、リン酸ジオクチルである請求項２０記載の浮島。
【請求項２２】
外側カバーが、ナイロンネットからなる請求項１８記載の浮島。
【請求項２３】
比較的密に詰め込んだ不織メッシュの上側領域と、比較的緩く詰め込んだ不織メッシュの下側領域を有する浮島。
【請求項２４】
植物の根の成長および耐久性に対して最適化するように、不織メッシュの上側領域の密度を選択した請求項２３記載の浮島。
【請求項２５】
メッシュ繊維の間に開口部を提供し、小さな餌魚に安全および給餌生息地を提供するように不織メッシュの下側領域の密度を選択した請求項２３記載の浮島。
【請求項２６】
比較的密に詰め込んだ不織メッシュの上部層、比較的薄く緩く詰め込んだ不織メッシュの底部層、および浮力スペーサを有する浮島であって、前記浮力スペーサが上部層と底部層の間に水ポケットを形成する浮島。
【請求項２７】
小さな餌魚が、それを介して水ポケット内に泳げるように底部層の詰め込み密度を選択した請求項２６記載の浮島。
【請求項２８】
不織メッシュ材料の一つ以上の層を有し、さらに層の組み立て中に内部に設置した浮きを有する浮島。
【請求項２９】
浮きが、硬化プラスチックからなる請求項２８記載の浮島。
【請求項３０】
浮きが、発泡体の漁網用浮きからなる請求項２８記載の浮島。
【請求項３１】
透水性不織メッシュ材料および膨張発泡体の一つ以上の層を有する浮島。
【請求項３２】
不織メッシュ材料の一つ以上の層、上部カバー、および種子を有する浮島であって、前記上部カバー内に種子を一体化した浮島。
【請求項３３】
不織メッシュ材料の一つ以上の層、上部カバー、および種子を有する浮島であって、前記上部カバーの下に種子を配置した浮島。
【請求項３４】
上部カバーが、生分解可能な材料からなる請求項３２または３３記載の浮島。
【請求項３５】
透水性不織メッシュ材料の一つ以上の層と、一つ以上の浮力ブロックを有する浮島。
【請求項３６】
浸漬機能を有する浮島であって、前記浸漬機能がフレキシブルライン、プーリ、およびアンカブロックを有する浮島。
【請求項３７】
毛細管と吸収性上部カバーを有する浮島。
【請求項３８】
吸い上げユニットと吸収性上部カバーを有する浮島。
【請求項３９】
吸い上げユニットが、繊維からなる請求項３８記載の浮島。
【請求項４０】
吸収性上部カバーに種子を植えた請求項３７または３８記載の浮島。
【請求項４１】
吸収性上部カバーを種子と接着剤の混合物で被覆した請求項３７または３８記載の浮島。
【請求項４２】
種子と接着剤の混合物に栄養分を加えた請求項４１記載の浮島。
【請求項４３】
釣鐘浮遊ユニットを有する浮島であって、前記釣鐘浮遊ユニットが空気圧縮器、配管、ソレノイドバルブ、制御配線、および一つ以上の釣鐘を有する浮島。
【請求項４４】
釣鐘が、熱可塑性材料からなる請求項４３記載の浮島。
【請求項４５】
釣鐘が、独立気泡発泡金属からなる請求項４３記載の浮島。
【請求項４６】
釣鐘が、アモルファス金属からなる請求項４３記載の浮島。
【請求項４７】
釣鐘が、セメントからなる請求項４３記載の浮島。
【請求項４８】
釣鐘が、プラスチックからなる請求項４３記載の浮島。
【請求項４９】
各釣鐘の下部に空間があり、前記空間を高多孔質材料で充填した請求項４３記載の浮島。
【請求項５０】
高多孔質材料が、ポリエステルメッシュである請求項４９記載の浮島。
【請求項５１】
高多孔質材料が、連続気泡発泡金属である請求項４９記載の浮島。
【請求項５２】
高多孔質材料が、連続気泡アモルファス金属である請求項４９記載の浮島。
【請求項５３】
不織メッシュ材料の少なくとも一つの層、補助浮遊ユニットおよび踏みパッドを有する浮島。
【請求項５４】
さらに、浮力瘤を有する請求項５３記載の浮島。
【請求項５５】
補助浮遊ユニットが、ポリウレタン発泡シール剤からなる請求項５３記載の浮島。
【請求項５６】
補助浮遊ユニットが、独立気泡高分子発泡体からなる請求項５３記載の浮島。
【請求項５７】
踏みパッドが、屋外用敷物材からなる請求項５３記載の浮島。
【請求項５８】
踏みパッドが、成形ガラス繊維から形成した合成石からなる請求項５３記載の浮島。
【請求項５９】
さらに、一つ以上の人工踏み石を有する請求項５３記載の浮島。
【請求項６０】
さらに、一つ以上の人工木の大枝を有する請求項５３記載の浮島。
【請求項６１】
さらに、一つ以上の独立気泡発泡ブロックを有する請求項５３記載の浮島。
【請求項６２】
さらに、一つ以上の独立気泡発泡シリンダ請求項５３記載の浮島。
【請求項６３】
不織メッシュ材料の少なくとも一つの層と、一つ以上の負荷分散部材を有する浮島。
【請求項６４】
負荷分散部材が、パイプからなる請求項６３記載の浮島。
【請求項６５】
負荷分散部材が、ホースからなる請求項６３記載の浮島。
【請求項６６】
負荷分散部材が、アルミニウムチャネルからなる請求項６３記載の浮島。
【請求項６７】
負荷分散部材が、金属発泡体からなる請求項６３記載の浮島。
【請求項６８】
負荷分散部材が、アモルファス金属発泡体からなる請求項６３記載の浮島。
【請求項６９】
各負荷分散部材の直径が約１〜１８インチの範囲内であり、各負荷分散部材の壁厚が約１／１６〜１インチの範囲内であり、各負荷分散部材の有効曲げ弾性率が約５，０００〜５００，０００ｐｓｉの範囲内である請求項６３記載の浮島。
【請求項７０】
踏み石浮遊組み立て品を有する浮島であって、前記踏み石浮遊組み立て品が少なくとも二つの人工踏み石と接続ケーブルユニットを有する浮島。
【請求項７１】
接続ケーブルユニットがプラスチックロープからなる請求項７０記載の浮島。
【請求項７２】
接続ケーブルユニットが、防錆金属ケーブルからなる請求項７０記載の浮島。
【請求項７３】
踏み石／垂直浮力部材浮遊組み立て品を有する浮島であって、前記踏み石／垂直浮力部材浮遊組み立て品が人工踏み石と垂直に設置した浮力部材を有する浮島。
【請求項７４】
浮力部材が、空気充填プラスチックパイプからなる請求項７３記載の浮島。
【請求項７５】
浮力部材が、独立気泡発泡体充填プラスチックパイプからなる請求項７３記載の浮島。
【請求項７６】
浮き丸太組み立て品を有する浮島であって、前記浮き丸太組み立て品が少なくとも二つの人工木の大枝と接続ケーブル組み立て品を有する浮島。
【請求項７７】
剛性枠組みを有する浮島であって、前記剛性枠組みが一つ以上の水平部材を有する浮島。
【請求項７８】
水平部材に空気を充填した請求項７７記載の浮島。
【請求項７９】
水平部材に発泡体を充填した請求項７７記載の浮島。
【請求項８０】
さらに、不織メッシュ材料の少なくとも一つの層とメッシュ材料を剛性枠組みに保持する固定ストラップを有する請求項７７記載の浮島。
【請求項８１】
剛性枠組みを有する浮島であって、前記剛性枠組みが一つ以上の水平部材、水管、空気制御バルブ、および空気管を有する浮島。
【請求項８２】
一つ以上の水平部材を有する浮島であって、前記水平部材が各々穴開きパイプと膨張可能な袋を有する浮島。
【請求項８３】
空気が空気制御バルブを介して膨張可能な袋に入り、空気管を介して膨張可能な袋に圧縮空気を押し込む請求項８２記載の浮島。
【請求項８４】
さらに、複数の車輪を有する請求項７７または８１記載の浮島。
【請求項８５】
車輪が、浮力を有する請求項８４記載の浮島。
【請求項８６】
さらに、複数のスキッドを有する請求項７７または８１記載の浮島。
【請求項８７】
スキッドが、浮力を有する請求項８６記載の浮島。
【請求項８８】
一つ以上の下側垂直部材、一つ以上のより上側の垂直部材、水密エンドキャップ、襟部、および固定ピンを有する浮島であって、前記下側垂直部材を各々上側垂直部材と非恒久的に結合した浮島。
【請求項８９】
一つ以上の下側垂直部材、一つ以上のより上側の垂直部材、水密エンドキャップ、襟部、および固定ピンを有する浮島であって、前記下側垂直部材を各々上側垂直部材と恒久的に結合した浮島。
【請求項９０】
組み立て式浮遊管と交差部材の浮力調整型枠組みを有する浮島。
【請求項９１】
各浮遊管が、保護パイプ、膨張可能なチューブ、空気管、および空気制御バルブを有する請求項９０記載の浮島。
【請求項９２】
各交差部材が、ストラップ、複数のパイプ位置決め器具、および複数の島本体接続支柱を有する請求項９０記載の浮島。
【請求項９３】
ストラップが、亜鉛メッキ鋼チャネルからなる請求項９２記載の浮島。
【請求項９４】
ストラップが、アルミニウム配管からなる請求項９２記載の浮島。
【請求項９５】
ストラップが、剛性プラスチック配管からなる請求項９２記載の浮島。
【請求項９６】
パイプ位置決め器具をストラップに二つ一組で取り付け、前記パイプ位置決め器具をパイプの両側に配置した請求項９２記載の浮島。
【請求項９７】
交差部材を浮遊管上に配置し、島本体に平坦なベースを提供した請求項９０記載の浮島。
【請求項９８】
各交差部材がストラップと複数の島本体接続支柱を有し、前記ストラップを浮遊管の周りに湾曲させて、それらをその場所に保持した請求項９０記載の浮島。
【請求項９９】
一つ以上の単一接続点浮遊ユニットを有する浮島であって、前記浮遊ユニットが各々有棘接続スパイクと浮きを有する浮島。
【請求項１００】
有棘接続スパイクが、防蝕性金属からなる請求項９９記載の浮島。
【請求項１０１】
有棘接続スパイクが、剛性プラスチックからなる請求項９９記載の浮島。
【請求項１０２】
浮きが、浮力性および耐久性材料からなる請求項９９記載の浮島。
【請求項１０３】
浮き内の穴に、有棘接続スパイクを配置した請求項９９記載の浮島。
【請求項１０４】
浮遊ユニット、浮力機能、および浮遊ユニットを浮力機能に取り付ける手段を有する浮島。
【請求項１０５】
浮遊ユニットを浮力機能に取り付ける手段が、保持ピンである請求項１０４記載の浮島。
【請求項１０６】
二重リングブイ、二つの整備ピン、および二重リングブイを整備ピンに接続する手段を有する浮島。
【請求項１０７】
二重リングブイを整備ピンに接続する手段が、スナップ式コネクタである請求項１０６記載の浮島。
【請求項１０８】
一つ以上の十分に貫通した受け取りユニットを有する浮島。
【請求項１０９】
各受け取りユニットが一定の長さのパイプ、上側フランジ、下側フランジ、および一定の長さのパイプを上側フランジと下側フランジに結合する手段を有する請求項１０８記載の浮島。
【請求項１１０】
一定の長さのパイプに上側フランジと下側フランジを結合する手段が、ネジ込み式端部コネクタである請求項１０９記載の浮島。
【請求項１１１】
一定の長さのパイプを上側フランジと下側フランジに結合する手段が、接着結合である請求項１０９記載の浮島。
【請求項１１２】
一つ以上の部分的に貫通する受け取りユニットを有する浮島。
【請求項１１３】
各受け取りユニットが、一定の長さのパイプ、上側フランジ、および一定の長さのパイプを上側フランジに結合する手段を有する請求項１１２記載の浮島。
【請求項１１４】
一定の長さのパイプを上側フランジに結合する手段が、ネジ込み式端部コネクタである請求項１１３記載の浮島。
【請求項１１５】
一定の長さのパイプを上側フランジと下側フランジに結合する手段が、接着結合である請求項１１３記載の浮島。
【請求項１１６】
主浮島の周囲に取り付けた複数の島モジュールを有する浮島であって、前記島モジュールが浮力材料を含浸した単層の不織メッシュ材料からなる浮島。
【請求項１１７】
骨組み、床、浮力導入部、土成長媒体、土ベース植物および基材ベース植物を有する浮島であって、前記骨組みと床が多孔質基材からなり、多孔質基材からなる島の一部で前記基材ベース植物を成長させた浮島。
【請求項１１８】
さらに、少なくとも一つの分割部を有し、前記分割部が多孔質基材からなる請求項１１７記載の浮島。
【請求項１１９】
多孔質基材が、不織メッシュ材料である請求項１１７記載の浮島。
【請求項１２０】
不織メッシュ材料からなる島の一部で、基材ベース植物を成長させた請求項１１７記載の浮島。
【請求項１２１】
土成長媒体が、天然有機材料と合成有機材料を有する請求項１１７記載の浮島。
【請求項１２２】
合成有機材料が、不織ポリエステル基材の屑片である請求項１２１記載の浮島。
【請求項１２３】
さらに、接合成長媒体を有し、前記接合成長媒体が泥炭繊維とバインダを有する請求項１１７記載の浮島。
【請求項１２４】
骨組み、床またはその両方に接合成長媒体を導入した請求項１２３記載の浮島。
【請求項１２５】
さらに、接合成長媒体を有し、前記接合成長媒体が泥炭繊維とバインダを有し、前記接合成長媒体を分割部に導入した請求項１１８記載の浮島。
【請求項１２６】
土ベース植物と基材ベース植物が各々相対的な成長速度を有し、土成長媒体と接合成長媒体が各々栄養分濃度を有し、前記土成長媒体と接合成長媒体の栄養分濃度を調整することによって、土ベース植物と基材ベース植物の相対的な成長速度を制御した請求項１２３記載の浮島。
【請求項１２７】
土ベース植物と基材ベース植物が各々相対的な成長速度を有し、土成長媒体と骨組みが内部空間を有し、前記土成長媒体と骨組みの内部空間を調整することによって、土ベース植物と基材ベース植物の相対的な成長速度を制御した請求項１２３記載の浮島。
【請求項１２８】
骨組み、床、浮力導入部、基材ベース植物、および一つ以上の組み立て式プランタユニットを有する浮島であって、前記骨組みと床が多孔質基材からなり、多孔質基材からなる島の一部で前記基材ベース植物を成長させ、前記プランタユニットが各々シェルと土成長媒体を有する浮島。
【請求項１２９】
さらに、少なくとも一つの分割部を有し、前記分割部が多孔質基材からなる請求項１２８記載の浮島。
【請求項１３０】
各プランタユニットがさらに、植物を有する請求項１２８記載の浮島。
【請求項１３１】
各プランタユニットがさらに、種子を有する請求項１２８記載の浮島。
【請求項１３２】
シェルが、コイヤからなる請求項１２８記載の浮島。
【請求項１３３】
シェルが、不織ポリエステル基材からなる請求項１２８記載の浮島。
【請求項１３４】
土成長媒体が、ｐＨ緩衝剤を有する請求項１２８記載の浮島。
【請求項１３５】
土成長媒体が、ｐＨ改質剤を有する請求項１２８記載の浮島。
【請求項１３６】
接合成長媒体、多孔質基材、および浮力導入部を有する浮島。
【請求項１３７】
接合成長媒体が、泥炭繊維とバインダからなる請求項１３６記載の浮島。
【請求項１３８】
バインダが、多孔質および透過性の材料からなる請求項１３７記載の浮島。
【請求項１３９】
多孔質および透過性の材料が、連続気泡ポリウレタン発泡体である請求項１３８記載の浮島。
【請求項１４０】
多孔質および透過性の材料が、セルロースである請求項１３８記載の浮島。
【請求項１４１】
バインダが、非多孔質、非透過性の材料からなる請求項１３７記載の浮島。
【請求項１４２】
非多孔質、非透過性の材料が、熱可塑性材料である請求項１４１記載の浮島。
【請求項１４３】
泥炭繊維の割合が十分であり、接合成長媒体を介した水移動媒体として機能できるように泥炭繊維とバインダの割合を設計した請求項１３７記載の浮島。
【請求項１４４】
接合成長媒体がさらに、組み込み種子を有する請求項１３７記載の浮島。
【請求項１４５】
接合成長媒体がさらに、上部被覆種子を有する請求項１３７記載の浮島。
【請求項１４６】
接合成長媒体がさらに、栄養分粒子を有する請求項１３７記載の浮島。
【請求項１４７】
栄養分粒子が、市販の低開放性植物肥料からなる請求項１４６記載の浮島。
【請求項１４８】
接合成長媒体がさらに、浮力ペレットを有する請求項１３７記載の浮島。
【請求項１４９】
浮力ペレットが、独立気泡材料からなる請求項１４８記載の浮島。
【請求項１５０】
独立気泡材料が、パーライトである請求項１４９記載の浮島。
【請求項１５１】
独立気泡材料が、ポリスチレンである請求項１４９記載の浮島。
【請求項１５２】
接合成長媒体がさらに、有用な微生物を有する請求項１３７記載の浮島。
【請求項１５３】
接合成長媒体がさらに、紫外線遮光剤を有する請求項１３７記載の浮島。
【請求項１５４】
紫外線遮光剤が、カーボンブラックである請求項１５３記載の浮島。
【請求項１５５】
多孔質基材が、植物の根によって貫通可能な軽量、多孔質材料からなる請求項１３６記載の浮島。
【請求項１５６】
浮力導入部が、無毒の浮力材料からなる請求項１３６記載の浮島。
【請求項１５７】
浮力導入部が、独立気泡発泡体からなる請求項１３６記載の浮島。
【請求項１５８】
浮力導入部が、ポリウレタンスプレイ発泡体からなる請求項１３６記載の浮島。
【請求項１５９】
さらに、毛細管チャネルを有する請求項１３６記載の浮島。
【請求項１６０】
毛細管チャネルに、吸い上げ材料を充填した請求項１５９記載の浮島。
【請求項１６１】
吸い上げ材料が、接合成長媒体に水を供給する請求項１６０記載の浮島。
【請求項１６２】
吸い上げ材料が、泥炭を有する請求項１６０記載の浮島。
【請求項１６３】
吸い上げ材料が、ポリエステルフェルトを有する請求項１６０記載の浮島。
【請求項１６４】
毛細管チャネルに、接合成長媒体を充填した請求項１５９記載の浮島。
【請求項１６５】
外面を有し、前記外面に接合成長媒体を取り付けた請求項１３６記載の浮島。
【請求項１６６】
不織メッシュ材料の少なくとも二つの層を有する浮島であって、前記層を共に積層し接合した浮島。
【請求項１６７】
さらに、接合成長媒体を有し、不織メッシュ材料の層の間に前記接合成長媒体を配置した請求項１６６記載の浮島。
【請求項１６８】
ボート結合位置を有する浮島であって、結合したボートがほとんど島の材料によって取り囲まれるように前記ボート結合位置を形成した浮島。
【請求項１６９】
さらに、ボート結合位置の内周に配置した低摩耗パッドを有し、ボートの船体を特別に保護する請求項１６８記載の浮島。
【請求項１７０】
さらに、ボート結合位置を有する請求項１または５３記載の浮島。
【請求項１７１】
結合したボートがほとんど島の材料によって取り囲まれるように、ボート結合位置を形成した請求項１７０記載の浮島。
【請求項１７２】
さらに、ボート結合領域の内遊に配置した低摩耗パッドを有し、ボートの船体を別に保護する請求項１７１記載の浮島。
【請求項１７３】
浮島と共に用いるためのアンカ器具であって、互いに９０°の角度で設定した四つの棘と、さらに4つのリング接続点を有し、四本の係留ロープによって浮島に接続し、前記各係留ロープの一端をアンカのリング接続点に取り付け、他端を浮島の周囲に取り付けたアンカ器具。
【請求項１７４】
さらに、配水システムを有し、前記配水システムが水ポンプと複数の配水パイプを有する請求項１記載の浮島。
【請求項１７５】
島の表面全体に比較的均一に水を散布するように、配水パイプを構成した請求項１７４記載の浮島。
【請求項１７６】
さらに、水ポンプ、栄養分摂取水生植物、および不透水性容器トレイを有し、前記ポンプが島の下部から島の上部へ水をポンプで汲み上げ、前記水が島の不織メッシュ層を介して流れ、容器トレイ内に集められ、前記水が容器トレイの周囲の穴を介して前記容器トレイから排出する請求項１記載の浮島。
【請求項１７７】
トレイが水と植物の根の両方を通過させない軽量プラスチックからなる請求項１７６記載の浮島。
【請求項１７８】
軽量プラスチックが、ポリエチレンである請求項１７７記載の浮島。
【請求項１７９】
トレイが、熱可塑性エラストマからなる請求項１７６記載の浮島。
【請求項１８０】
さらに、生物学的接着剤を有する請求項１記載の浮島。
【請求項１８１】
生物学的接着剤が、ムラサキイガイによって生成された接着剤である請求項１８０記載の浮島。
【請求項１８２】
下側種子格納層、中間複合種子層、および上側種子格納層を有する組み立て式種子ブランケット。
【請求項１８３】
下側種子格納層が、微細な不織ポリエステルメッシュからなる請求項１８２記載の組み立て式種子ブランケット。
【請求項１８４】
下側種子格納層が粗い織布からなる請求項１８２記載の組み立て式種子ブランケット。
【請求項１８５】
下側種子格納層が、熱可塑性エラストマからなる請求項１８２記載の組み立て式種子ブランケット。
【請求項１８６】
中間複合種子層が、水生植物の種子からなる請求項１８２記載の組み立て式種子ブランケット。
【請求項１８７】
中間複合種子層がさらに、バインダを有する請求項１８２記載の組み立て式種子ブランケット。
【請求項１８８】
バインダが、接着剤からなる請求項１８７記載の組み立て式種子ブランケット。
【請求項１８９】
バインダが、保湿剤からなる請求項１８７記載の組み立て式種子ブランケット。
【請求項１９０】
上側種子格納層が、不織ポリエステルメッシュからなる請求項１８２記載の組み立て式種子ブランケット。
【請求項１９１】
上側種子格納層が、粗い織布からなる請求項１８２記載の組み立て式種子ブランケット。
【請求項１９２】
上側種子格納層が、熱可塑性エラストマからなる請求項１８２記載の組み立て式種子ブランケット。
【請求項１９３】
（ａ）水平部材が中空であり、水、空気、または水と空気の両方の組み合わせを用いて前記水平部材の内部空間を充填し、
（ｂ）空気制御バルブを開くことによって水平部材内の水の体積を増大させ、
（ｃ）圧縮空気を空気管内に吹き込み、空気制御バルブを閉じることによって水平部材内の水の体積を減少させるステップを含む請求項８１記載の浮島の浮力を調整する方法。
【請求項１９４】
（ａ）下側垂直部材の下側端部を水密端部キャップでシールし、
（ｂ）所望の浮力が達成されるまで垂直部材を上向きまたは下向きにスライドさせ、
（ｃ）固定ピンを用いて、垂直部材を所定の位置に固定するステップを含む請求項８８または８９記載の浮島の浮力を調整する方法。
【請求項１９５】
下側垂直部材と上側垂直部材が中空である請求項１９４記載の方法。
【請求項１９６】
下側垂直部材と上側垂直部材に浮力材料を充填した請求項１９４記載の方法。
【請求項１９７】
（ａ）空気管を用いて膨張可能なチューブ内に空気を注入し、膨張可能なチューブ内から水を移動させるステップを含む請求項９１記載の浮島の浮力を増やすする方法。
【請求項１９８】
（ａ）空気制御バルブを用いて膨張可能なチューブから空気を排出でき、膨張可能なチューブに水を浸入可能にするステップを含む請求項９１記載の浮島の浮力を減らす方法。
【請求項１９９】
請求項１または５３記載の浮島を用いて土手または岸辺を補強する方法であって、
（ａ）アンカまたは繋ぎ部を用いて岸辺に対して浮島の位置を保持し、
（ｂ）浮島の深さを調整して、所望の水面、岸または土手浸食保護に適応させる方法。
【請求項２００】
請求項１または５３記載の浮島上の植物に水を散布する方法であって、
浮島の表面上を歩き回ることによって植物を浸漬させるステップを含む方法。
【請求項２０１】
不織メッシュ材料の様々な層を取り付ける方法であって、
（ａ）全ての層を介して整備ピンを挿入し、
（ｂ）整備ピンの端部領域を上向きに湾曲させ、各端部領域が第二位置で底部層を貫通するようにしたステップを含む方法。
【請求項２０２】
不織メッシュ材料の一つの層に穴を形成する方法であって、
（ａ）鉄鋼スパイクの頭部を切断し、
（ｂ）標準的な電動または空動ドリルにスパイクの残りの領域を挿入し、
（ｃ）ドリルを用いてスパイクを回転させながら不織メッシュにスパイクを貫通させるステップを含む方法。
【請求項２０３】
不織メッシュ材料の一つの層に穴を形成する方法であって、
（ａ）標準的な電動または空動ドリルに特注のマンドレルを挿入し、
（ｂ）ドリルを用いてマンドレルを回転させながら不織メッシュにマンドレルを貫通させるステップを含む方法。
【請求項２０４】
浮島を形成する方法であって、
（ａ）不織メッシュ材料の屑片の束を取り、
（ｂ）加熱可能な型枠に不織メッシュ材料の屑片の束を配置し、
（ｃ）不織メッシュ材料の融点まで型枠を加熱し、
（ｄ）束の外側の繊維を軟化および溶解可能にし、メッシュ材料の未溶解の中央片の周りに多孔質の「肌」を形成するステップを含む方法。
【請求項２０５】
浮島を形成する方法であって、
（ａ）不織メッシュ材料の屑片の束を取り、
（ｂ）束の外側の繊維に溶剤を塗布し、
（ｃ）外側の繊維を軟化および溶解可能にし、束の残りの周りに多孔質の「肌」を形成するステップを含む方法。
【請求項２０６】
一連の浮島を構成する方法であって、
（ａ）不織メッシュ材料の一つの層を切り抜き、第一切り抜きを形成することによって前記一つの層から材料の一領域を除去し、
（ｂ）第一切り抜きを切り抜き、第二切り抜きを形成することによって前記第一切り抜きから材料の一領域を除去し、
（ｃ）材料を使い切るか所望の数の島が実現されるまで、このプロセスを継続するステップを含む方法。
【請求項２０７】
（ａ）粘性液体状の接合成長媒体を基材上に注ぐかスプレイし、
（ｂ）接合成長媒体を硬化可能にするステップを含む請求項１３６記載の浮島の製造方法。
【請求項２０８】
さらに、
（ｃ）基材上に注ぐかスプレイする前に、接合成長媒体に上部被覆種子を追加するステップを含む請求項２０７記載の方法。
【請求項２０９】
さらに、
（ｃ）基材上の注ぐかスプレイした後であるが硬化する前に、接合成長媒体に上部被覆種子を散布するステップを含む請求項２０７記載の方法。
【請求項２１０】
さらに、
（ｃ）部分的にまたは十分に硬化させた後、接合成長媒体に穴を開け、前記穴に種子を挿入することによって前記接合成長媒体内に組み込み種子を設置するステップを含む請求項２０７記載の方法。
【請求項２１１】
さらに、
（ｃ）硬化させた後に、無毒の接着剤を用いて接合成長媒体に上部被覆種子を付着させるステップを含む請求項２０７記載の方法。
【請求項２１２】
（ａ）多孔質基材が複数の層を有し、未硬化の粘性状態の接合成長媒体を基材の各層に注入し、
（ｂ）互いの上に層を積層し、
（ｃ）接合成長媒体を硬化可能にするステップを含む請求項１３６記載の浮島の製造方法。
【請求項２１３】
（ａ）多孔質基材が複数の層を有し、互いの上に層を積層し、
（ｂ）未硬化の粘性状態の接合成長媒体を基材の各層の間に注入し、
（ｃ）接合成長媒体を硬化可能にするステップを含む請求項１３６記載の浮島の製造方法。
【請求項２１４】
（ａ）多孔質基材が生のポリエステル繊維を有し、混合ホッパ内で生のポリエステル繊維に泥炭繊維を追加し、
（ｂ）生のポリエステル繊維と泥炭繊維の混合物にラテックスバインダを追加し、前記ラテックスバインダが生のポリエステル繊維と泥炭繊維を共に接合するステップを含む請求項１３７記載の浮島の製造方法。
【請求項２１５】
複数の浮島を接続する方法であって、前記浮島が不織メッシュ材料からなり、島の間にコネクタを設置するステップを有し、前記コネクタも不織メッシュ材料からなる方法。
【請求項２１６】
コネクタを接合成長媒体で処理して、植物の成長を促進する請求項２１５記載の浮島の製造方法。
【請求項２１７】
炭素隔離方法であって、
（ａ）水域上に浮島を設置し、
（ｂ）大気から二酸化炭素を摂取し、光合成によって植物内の有機炭素に変換する島の植物を成長させるステップを含む方法。
【請求項２１８】
さらに、
（ｃ）それらの通常の成長および死滅サイクル中、島の表面を横方向に広げる植物を選択するステップを含む請求項２１７記載の方法。
【請求項２１９】
さらに、
（ｃ）植物が水面下に広がる根を有し、植物の根内の水面下で成長する島に微生物を導入し、溶解した二酸化炭素を水から除去する能力に基づいて前記微生物を選択するステップを含む請求項２１７記載の方法。
【請求項２２０】
さらに、
（ｃ）島が基材からなり、前記基材の少なくとも一部が水面下に広がり、島の基材内の水面下に成長する島に微生物を導入し、溶解した二酸化炭素を水から除去する能力に基づいて前記微生物を選択するステップを含む請求項２１７記載の方法。
【請求項２２１】
さらに、
（ｃ）栄養分が豊富で、酸素が欠乏した海洋領域上に島を配置するステップを含む請求項２１７記載の方法。
【請求項２２２】
さらに、
（ｄ）栄養分が豊富で、酸素が欠乏した海洋領域から水を島上にポンプで汲み上げ、島上の植物が太陽エネルギを用いて、ポンプで汲み上げた水内に栄養分と空気からの二酸化炭素を組み合わせ、植物の質量を生成可能なステップを含む請求項２２１記載の方法。
【請求項２２３】
さらに、
（ｃ）生物学的接着剤を用いて、水内の島の破片、水に浮かび風に吹かれ島に接触する堆積粒子を捕捉し接着することによって、島の表面積を拡大するステップを含む請求項２１７記載の方法。
【発明の詳細な説明】
【技術分野】
【０００１】
（関連出願の相互参照）
この出願は、米国仮特許出願番号第６０／５７４，１２１号、出願日２００４年５月２４日の優先権を主張する。
【０００２】
（発明の背景）
１．発明の分野
この発明は超拡大、浮力調整型浮島に関し、前記浮島は池、湖、川または他の水域に配置し、水質の監視、調整および改善、植物や動物の生態の改善、および自然環境の補完を行うことができる。
【背景技術】
【０００３】
２．関連技術の説明
池や湖等の水域では、藻の成長や富栄養化の自然プロセスが土地の質量の増大および対応する水の体積の減少をもたらし、魚や他の有機物を死滅し、美的外観を損なわせる。水の浄化、植物の栽培、肥料の散布、または富栄養化の影響を相殺するために、様々な浮遊機構が工夫されている。
【発明の開示】
【発明が解決しようとする課題】
【０００４】
これらの発明はいずれも、この発明によって提供される特徴の組み合わせは予測していない。
【０００５】
米国特許第５，７９９，４４０号（Ｉｓｈｉｋａｗａなど、１９９８年）は、（ｉ）内部に穴を備え、植物の根が水中に成長し、内部の土に水を供給できるプランタと、（ｉｉ）プランタの底部に取り付けた酸素生成剤容器を有する浮島を開示している。プランタは、表面にポリウレタンエラストマの強化膜を備えた発泡樹脂からなる。その発明はさらに、（ｉ）プランタの底部の内面上にあり、内部に固定化した好気性微生物を備えた多孔質材料層と、（ｉｉ）土を保持する植物栽培袋を有する。好ましい実施例では、酸素生成剤は過酸化カルシウムであり、プランタ内の土は水や空気を透過でき、植物に無害な網または布で被覆されている。酸素の生成に加えて、過酸化カルシウムはリンを除去し、藻の成長を制限することもできる。
【０００６】
米国特許第４，０８６，１６１号（Ｂｕｒｔｏｎ、１９７８年）は、湿地帯、内陸の池や湖等の水域で富栄養化の影響を相殺する生態系および方法を開示している。その系は、このような水域の上側の比較的酸素を豊富に含む領域に配置した樹皮繊維のクラスタを用いる。これらの樹皮のクラスタは、コロイド状の老廃物および水生の藻の形状で余分な栄養堆積物を引き付け保持し、さらに藻の捕食者および肥育者用の安全な生息地を提供する。
【０００７】
米国特許第６，０８６，７５５号（Ｔｅｐｐｅｒ、２０００年）は、草食魚を含む水域で使用するための浮遊水耕生物濾過装置を提供する。その発明は、浮き、メッシュおよびマットを有する。浮きは、陸生植物を挿入する土のない開口部を有する。メッシュは実質的に浮きより下の深さにあり、大きな草食魚を除外しながら植物の根に酸素を含む水を通過可能にする。メッシュはさらに、窒素変換バクテリア成長用の基板面としても機能し、前記バクテリアは魚の老廃物のアンモニアを植物に有用な硝酸塩に変換する。マットは植物の根を固定し、植物の根の一部から部分的に草食魚を除外する。好ましい実施例では、メッシュとマットはプラスチックから形成する。
【０００８】
米国特許第５，７６６，４７４号（Ｓｍｉｔｈなど、１９９８年）と第５，５２８，８５６号（Ｓｍｉｔｈなど、１９９６年）は、水を浄化するために日光を用いるバイオマス貯水管理システムを開示している。その発明の目的は、アンモニア、窒素、リンおよび重金属等の貯水内の不純物を制御することである。窒素およびリンは様々な不要な藻類の主な食料源であり、アンモニアと重金属は人、魚および他の有機物に有害であることがよく知られている。その発明は、根のある底部に住む植物が貯水の底部に正常に成長し留まることができ、同時に根のない浮遊植物がそれらの上で正常に成長し留まることができるようにすることによって、水を浄化することを目的としている。根のない浮遊植物は細長いチャネルによって提供された大きな表面領域に含まれ、前記チャネルは南北方向に配置し、太陽を十分に利用できるようにする。細長いチャネルは、波の作用を利用できるように設計し、生産性を向上させる。
【０００９】
米国特許第５，３３７，５１６号（Ｈｏｎｄｕｌａｓ、１９９４年）は、廃水だめと、浮遊容器内の多数の湿地植物を含む廃水を処理するための装置を開示している。その発明の明示する考え方は、湿地植物の根系が廃水を処理するということである。根系の成長の範囲は各浮遊容器に関連した調整可能なプラットフォームによって制御され、廃水だめ内の好気性および嫌気性領域を制御し、必要に応じて調整または変更できるようにする。同様に、米国特許第５，１０６，５０４号（Ｍｕｒｒａｙ、１９９２年）は、汚染物を吸収するために水生植物を用いて、都市廃水または産業廃水から生物学的に固定可能な汚染物を除去するように設計された人工貯水システムを含んでいる。
【００１０】
米国特許第４，５３６，９８８号（Ｈｏｇｅｎ、１９８５年）は、水域内の浮遊水生植物の格納用の浮遊格納遮蔽グリッド構造に関する。その発明は、水生植物の商業用の栽培および収穫を容易にするように設計されている。グリッド構造は細長いフレキシブルシートからなり、前記シートはそれらの長軸に沿って所定の間隔で相互接続し、網状の構成の複数の遮蔽領域を形成する。アンカ手段の使用によって遮蔽グリッドを引っ張り、浮遊水生植物を収穫する機器によってその構造の所定の部分が水面より下に浸漬させる。
【００１１】
米国特許第４，０３７，３６０号（Ｆａｒｎｓｗｏｒｔｈ、１９７７年）と第３，９２７，４９１号（Ｆａｒｎｓｗｏｒｔｈ、１９７５年）は、水栽培および音楽水耕栽培によって植物を成長させるための筏装置を開示している。筏は栄養溶液上に浮遊させ、より大きな筏または補助浮力手段上に小さな筏を配置することによって植物の成長中に筏の浮力を増大させる。米国特許第５，２６１，１８５号（Ｋｏｌｄｅなど、１９７３年）はさらに、栄養溶液上に浮遊する装置を含んでいる。その発明では、筏は栄養溶液を充填した水栽培タンク内に浮遊させ、筏の垂直方向のチャネル内に植物容器を挿入し、水栽培タンクの一端から他方の端部に筏を次第に移動させることによって植物を栽培する。
【００１２】
米国特許第４，４８７，５８８号（Ｌｅｗｉｓ，ＩＩＩなど、１９８４年）は、絶滅寸前の海草等の植物を栽培するための水中用筏を検討している。その筏は、標準的なポリビニル塩化物の管および接続部から製造される。
【００１３】
米国特許第６，０１４，８３８号（Ａｓｈｅｒ、２０００年）は、装飾用植物のための簡単な浮遊可能ユニットを開示している。米国特許第５，８３６，１０８号（Ｓｃｈｅｕｅｒ、１９９８年）は、水より低密度の合成発泡樹脂の多面体平面ベース部材と、選択的アンカ手段を有する浮遊プランタボックスを開示している。
【００１４】
米国特許第５，３１２，６０１号（Ｐａｔｒｉｃｋ、１９９４年）と第５，１４３，０２０号（Ｐａｔｒｉｃｋ、１９９２年）は、池に肥料を散布するための簡単な装置を含んでいる。その発明は、網袋等の多孔質材料によって囲われた浮遊構造と浮遊構造の開口部からなり、前記開口部を介して肥料を落下させる。肥料は、浮遊構造の底部において網袋を介して流れる水に溶解する。
【００１５】
米国特許出願公開番号ＵＳ２００３／０２０８９５４（Ｂｕｌｋ）は、植物と魚用の浮遊プランタに関する。そのプランタは独立気泡プラスチック発泡体からなり、水上ポット保持部と水中植物に酸素を供給するための浮遊下側支持部を有する。その島は島構造を下向きに延びる通路を有し、前記通路は水中に開き植物の根は水に到達できる。その島はさらに、カエル等の両生類の隠れ家として機能するキャビティを有する。
【００１６】
上で議論した特許および特許出願に加えて、植物の成長媒体を取り扱う複数の特許および少なくとも一つの公開特許出願がある。例えば、米国特許第５，２０７，７３３号（Ｐｅｒｒｉｎ、１９９３年）は、低密度剛性単一セル（つまり、独立気泡）の膨張ポリウレタン発泡体を含み、前記発泡体は発生する植物の根の通過を容易にするように穴を開け、水を吸収および保持するための空隙を提供する。
【００１７】
米国特許第２，６３９，５４９号（Ｗｕｂｂｅｎなど、１９５３年）は、砂礫層を有する音楽水耕成長媒体を開示し、前記砂礫層は穴開き底部上に配置し、さらに前記底部は剛性接地板上に配置する。ポンプと溝は、砂礫層全体に栄養溶液を循環させるために用いられる。
【００１８】
米国特許第５，２２４，２９２号（Ａｎｔｏｎ、１９９３年）は中空不織ポリエステル繊維の層からなる成長媒体を開示し、前記繊維の内腔（つまり空隙の内側）は植物の栄養分、殺菌剤、除藻剤、除草剤および殺虫剤等の植物補助剤（つまり植物の成長を補助するもの）を有する。
【００１９】
米国特許第６，６１５，５３９号（Ｏｂｏｎａｉなど、２００３年）は、植物成長媒体として用いられるヒドロゲル形成高分子からなる含水支持部を提供する。Ｏｂｏｎａｉの発明の目的は、植物の根の成長を妨げることなく水を保持するヒドロゲルを提供することであった。
【００２０】
米国特許出願公開番号ＵＳ２００３／００５１３９８（Ｋｏｓｉｎｓｋｉ）は、所定の切断長さおよび平均寸法を備えた生分解性高分子繊維（例えば、ポリエステル）から形成した繊維球からなる土置換物を含んでいる。その特許出願は、植物材料を繊維球成長媒体と接触させることによって、植物の成長をサポートする方法のための請求項を含んでいる。
【課題を解決するための手段】
【００２１】
（発明の概要）
この発明は、不織メッシュ材料の一つ以上の層を有する浮島のいくつかの異なる実施例を含んでいる。この発明は、池、湖、川または他の水域に配置し、水質の改善、植物や動物の生態の改善、自然環境の補完を行うことができる。この発明のより大きな実施例は炭素捕捉によって温室効果の防止に役立ち、それは大気から二酸化炭素を除去し、炭素をバイオマスに変換することを含んでいる。この発明のより大きな実施例はさらに、水域上または水域内での農耕または居住用にさえ用いることができる。
【００２２】
この発明の不織メッシュ材料は、スプレイ式エラストマを塗布することも、栄養分を接種することも、好気性または嫌気性微生物を接種することもできる。浮島はさらに浮力瘤を有することもでき、前記浮力瘤はメッシュ材料内に製造するか、または組み立て中にメッシュ材料と一体化する。メッシュ材料の層は接着剤で共に結合でき、植物または浮遊材料用に一つ以上の上部層に穴を形成することができる。島は、浮き、浮力ブロック、浸漬機能、毛細管または吸い上げユニットの一つ以上を有することができる。それはさらに上部カバーを有することもでき、前記上部カバーは選択的に生分解可能で、前記上部カバーと一体化またはその下に配置した種子を保護する。
【００２３】
別の実施例では、浮島は、空気圧縮器、配管、ソレノイドバルブ、制御配線および一つ以上の釣鐘を有する釣鐘浮遊ユニットを有する。釣鐘は、熱可塑性材料、独立気泡発泡金属、アモルファス金属、セメントまたは樹脂から形成できる。
【００２４】
この発明はさらに、一人以上の人々を保持できるより大きな実施例を含んでいる。このより大きな実施例は、少なくとも一層の不織メッシュ材料、浮力瘤、補助浮遊ユニットおよび踏みパッドからなる。この実施例は選択的に、一つ以上の負荷分散部材、または組み立て式浮遊管と交差部材を有する浮力調整型枠組みを有する。他の選択的特徴は、踏み石浮遊組み立て品、踏み石／垂直浮力部材浮遊組み立て品、および浮遊筏組み立て品を有する。島の浮力は剛性枠組みを用いて調整でき、前記枠組みは一つ以上の水平部材、および選択的に水管、空気制御バルブ、および空気管を有する。島はさらに上側および下側垂直部材を有することもでき、前記垂直部材は島内を垂直に移動し、その浮力をさらに調整できる。
【００２５】
この発明はさらに、ボート結合場所を備えた浮島を含み、前記結合場所は結合したボートが島の材料によってほとんど取り囲まれるような形状とする。ボート結合場所の内周には低摩耗パッドを配置し、ボートの船体を別に保護することもできる。
【００２６】
この発明の任意の実施例はさらに島モジュールを追加でき、前記モジュールは浮力材料を含浸した単層の不織メッシュ材料からなる。
【００２７】
この発明はさらに組み立て式種子ブランケットを有し、前記ブランケットは島に種子を蒔くために用いることができる。それはさらに、この発明の浮島と共に使用するための接合成長媒体と、この発明の接合成長媒体を用いて浮島を製造するいくつかの方法を含んでいる。
【００２８】
この発明は、不織メッシュ材料の様々な層を取り付ける方法、不織メッシュ材料に穴を形成する方法、および不織メッシュ材料の屑片から浮島を製造する方法を含んでいる。それはさらに、不織メッシュ材料から複数の島を切り出すことによって、浮島を構成する方法を含んでいる。
【発明を実施するための最良の形態】
【００２９】
（発明の詳細な説明）
この発明は、植物用の超拡大生息地を提供し、水質を改善し、藻の群生を阻止し、富栄養化のプロセスを減速し、魚や小動物用の生息地を提供し、美的に好ましくなるように設計されているので、既存の浮島型技術より優れている。それは、既存の天然植物および動物の生息地を拡大するように設計されているので、上で見直した特許のいずれとも区別できる。この発明の設置では、水の排出、水中の下部構造の構成、池の裏地の適合や変更、または既存の植物群や動物群を妨害することを必要としない。その設計によって、この発明は最小の水の移動のみをもたらし、池または他の水域はその収容力を維持可能で水域の衛生に悪影響を与えない。
【００３０】
天然の浮島では、生息する植物の根は、主に他の生物の根、枯れた根、および枯れた植物や微生物から生成された部分的に分解した有機物からなる基板内に支持される。この天然の基板はこの発明の島基材によって模倣され、その剛性構造と多孔質は成長する根が定着するための理想的な環境を提供する。
【００３１】
天然の浮島では、微生物のガス生成物が島の浮力に寄与している。この発明では、基材繊維（不織メッシュ）が、自然に発生し導入した微生物に大きな表面積を提供し、前記微生物は池の栄養分をガスに変換して浮力を提供する。
【００３２】
天然の浮島では、島での生息にうまく適合している植物は一般に、それら自体の浮力を提供する。例えば、１５フィートの高さの唐松の木の近傍の島の浮力はその木の重量を十分支持できるので、天然の浮島上で生存でき、一方、少し離れると島の浮力は２フィートの高さのヤチツツジの重量を支持するのに適するだけとなる。各々の場合、植物の根と根の周りの生物群集は適切な浮力を提供し、植物の水上の部分によって加えられる重量を支持できる。それら自体の重量を支持できない植物は、天然の浮島上では一般にまばらに存在する。この発明では、長期の自己保持浮力を必要とする島上で使用するために、既知の自己生成浮力を備えた植物を選択できることが要求される。
【００３３】
この発明の好ましい実施例では、浮島は不織メッシュ材料からなる。この実施例は、図１〜５に示されている。図１〜５の島形状は平面図では楕円形に示されているが、実際には任意の規則的または自由形状を取ることができる。不織メッシュ実施例にいずれにおいても、メッシュ材料は、ラテックスまたはポリウレタン等のスプレイ式エラストマからなる「ソフトタッチ被膜」で被覆できる。被膜の目的は低摩耗性または非摩耗性の仕上げを提供することであり、所望の効果に依存して異なる厚さに塗布できる。
【００３４】
図１はこの発明の不織メッシュ実施例の平面図であり、上部層１、中間層２、底部層３を有する。図２は図１のラインＡ−Ａにおける断面図であり、不織メッシュ島の第一実施例を示している。層１、２、３は各々透水性、不織メッシュ材料４（ＰＯＬＹ−ＦＬＯフィルタ材料等）からなり、材料４はメッシュ内に形成した浮力瘤５を有する。浮力瘤５は、独立気泡高分子発泡体、ポリスチレン、コルク、または中空プラスチック球等の適切な低密度材料から構成できる。穴６は上部層１と中間層２内に切り込み、各穴には鉢植えの植物ユニット７を設置する。各層は、接着剤８で共に接続する。接着剤８は、ホットメルト接着剤またはポリウレタン発泡体シール剤（Ｄｏｗ  ＣｈｅｍｉｃａｌのＧＲＥＡＴ  ＳＴＵＦＦまたはＦＲＯＴＨ−ＰＡＣ発泡体シール剤等）の適切な材料であってもよい。発泡体は、例えば、Ｊｏｕｒｎａｌ  ｏｆ  Ａｍｅｒｉｃａｎ  Ｏｉｌ  Ｃｈｅｍｉｓｔｓ’  Ｓｏｃｉｅｔｙ，Ｖｏｌ．７６，Ｎｏ．１０（１９９９年１０月）に記述されているような、大豆ベース発泡体等の有機物から構成することもできる。発泡体シール剤は、構造に浮力、接着性および剛性を提供する。島の浮力は、必要に応じて別の発泡体を追加することによって設置後に調整できる。
【００３５】
図３は図１のＡ−Ａにおける断面図であり、不織メッシュ島の第二実施例を示している。この実施例は図２に示したものと同様の不織ポリエステルメッシュの複数の層からなるが、第二実施例の浮遊性は浮き９によって提供され、浮き９は層の組み立て中に実施形態内に設置する。浮き９は、硬化プラスチックまたはプラスチック発泡体魚網用浮き等の適切な材料から構成できる。
【００３６】
図４は図１のＡ−Ａにおける断面図であり、不織メッシュ島の第三実施例を示している。この実施例は図２に示したものと同様の不織ポリエステルメッシュの複数の層からなるが、第三実施例の浮遊性は膨張発泡体シール剤１０（Ｄｏｗ  Ｃｈｅｍｉｃａｌ’ｓ  ＧＲＥＡＴ  ＳＴＵＦＦまたはＦＲＯＴＨ−ＰＡＣ発泡体シール剤）によって提供される。発泡体シール剤１０は、不織メッシュ材料４の繊維内または繊維を介して加圧液体として注入される。浮遊性の提供に加えて、発泡体シール剤１０はさらに層を共に接合する。
【００３７】
図５は図１のＡ−Ａにおける断面図であり、不織メッシュ島の第四実施例を示している。この実施例は図２に示したものと同様の不織ポリエステルメッシュの複数の層からなるが、第四実施例の浮遊性は浮力ブロック１１によって提供される。浮力ブロック１１は、不織メッシュ材料の複数の層を介して切り込んだ穴（図示せず）内に挿入される。浮力ブロック１１は摩擦密着適合によって穴内に保持でき、垂直方向に（矢印で示したように）手動で調整することもできる。この特徴は特に、島の浮力を調整し、成長する植物の重量変化を補償するために役立つ。図３の浮きと図５の浮力ブロックの両方に選択的に穴を開け、植物の根用の別の通路を提供することもできる。
【００３８】
図１では、島は、三層からなるように示されている。実際には、この発明は単層から構成することも、任意の数の複数の層から構成することもできる。図６は、複数の層の不織メッシュを接着する方法を示している。図６では、標準的な整備ピン１２を上部層１、中間層２および底部層３に貫通させる。それから図のようにピン１２の端部領域１３をＵ字状に上向きに折り曲げ、図の第二の位置で底部層３に貫通できるようにする。この構成では、整備ピン１２が、複数の層を共に固定する。市販の整備ピンの一例は、インディアナ州エバンズビルのＮｏｒｔｈ  Ａｍｅｒｉｃａｎ  Ｇｒｅｅｎによって販売されている８インチワイヤ止め金である。
【００３９】
図１〜５に示した実施例に対して、植物または浮遊材料を含む開口部は、製造中にメッシュ材料内に選択的に切り込み、溶解または別に形成できる。不織メッシュ材料に開口部を形成する好ましい方法は、図７に示されている。この図では、鉄鋼スパイク１４から頭部１５を切断することによって、鉄鋼スパイク１４から穴開け器具を構成する。それから、標準的な電動または空動ドリル１７内にスパイクの下側領域１６を挿入する。下側領域１６は、丸い断面でピラミッド状または円錐状の端部を備えている。ドリル１７と下側領域１６からなる装置を用いて、ドリル１７で下側領域１６を回転させながら、不織メッシュに下側領域１６を貫通させることによって不織メッシュの複数の層に穴を開ける。得られる円筒状の穴を用いて、接着剤の発泡体を注入したり植物や種子を設置できる。必要であれば、接着剤、植物、または種子を設置するまで、穴内に別の鉄鋼スパイク１４を一時的に挿入することによって穴を開いたまま保持できる。
【００４０】
メッシュに開口部を形成するこの方法は、手間がずっとかからず、より速く、設置する接着剤、植物、または種子の周りに接触する一時的な穴を形成するため穴を切り出すより優れている。この方法は、有害な煙を発生させないので、穴を溶解するより優れている。適切な鉄鋼スパイクの一例は、ＭｃＭａｓｔｅｒ−Ｃａｒｒから入手可能な直径３／８インチ、長さ１２インチのもの（部品番号９７０３３Ａ３２０）である。より大きな直径の穴は、下側領域１６を特注のマンドレル１８と置き換えることによって開けることができる。このようなより大きな穴は、根の付いた植物を設置するために役立つことができる。
【００４１】
図１〜５に示した実施例は全て、生物学的濾過の点で同じ利点を共有している。不織メッシュ材料はバクテリア定着用の理想的な基板を提供し、媒体を介した水の自由な通過を可能にするので生物学的濾過媒体として機能する。バクテリアは有益なバイオフィルムを形成し、池の水が媒体を通過する際の硝酸塩、リンおよび他の不要な栄養分の除去を促進する。この栄養分の微生物によるバイオ除去は、島上で成長する植物による栄養分の取り込みと共に、池の水からかなりの栄養分を除去でき池全体の衛生を改善できる。微生物は栄養分を用いて増殖するので、これらの微生物の一部は島の基材から分離し、池全体に分散し栄養分を除去し続ける。この分散手段によって、島は微生物の「発生源」として機能し、池全体に栄養除去微生物を提供する。栄養除去の速度は、浮島が受ける流速または水圧的負荷に依存する。池の水は島上にポンプで汲み上げスプレイでき、それによって池の水の栄養分を除去する全体の速度を向上できる（藻を実際に除去する可能性を含む）。島は、池からの栄養分の取り込みを改善するために、好気性または嫌気性微生物および開始栄養分を接種できる。風力、波力または太陽電池式ポンプまたは同様の機構を追加し、フィルタ媒体を介して流れる水の速度を増大できる。上記のものは全て、浮遊バイオフィルタとしての島の性能を改善する。この発明の不織メッシュ材料のこれらの固有の機能を利用する別の実施例は、以降で説明する。
【００４２】
図８は、不織メッシュ材料の屑片１９、浮力瘤５、および外側カバー２０からなる浮島を示している。外側カバー２０は、加熱可能な型枠（図示せず）内にメッシュ片１９の束を配置することによって製造できる。不織メッシュ材料の融点（例えば、ポリエステルの場合は約４００°Ｆ）まで型枠を加熱すると、束の外側の繊維が軟化および溶解し、メッシュ材料の溶解していない中央片の周りに多孔質の「肌」を形成する。肌は外側カバー２０を構成し、水、植物の茎、および植物の根を貫通可能なまま、メッシュ材料片１９を閉じ込める。別の方法では、適切な溶媒（例えば、リン酸ジオクチルはポリ塩化ビニルメッシュの溶媒になる）を添加することによって、束の外側繊維が軟化および溶解される。また、熱および溶媒の両方を同時に加えて、メッシュ材料の束上に外側の肌を形成できる。外側カバー２０は、ナイロンネット等の別の材料から構成することもできる。
【００４３】
図９は、比較的密に詰め込んだ不織メッシュ２１の上側領域と、比較的緩く詰め込んだ不織メッシュ２２の下側領域からなる浮島を示している。メッシュ２１と２２の詰め込み密度は、これらの材料の製造プロセス中に確立される。上側メッシュ２１の詰め込み密度は、植物の根の成長と耐久性に対して最適化するように選択する。下側メッシュ２２の詰め込み密度はメッシュ繊維の間に開口部を提供し、より大きな捕食魚２４を排除しながら、小さな餌魚２３に安全性と給餌生息地を提供するように選択する。小さな餌魚２３の一例は、ファットヘッドミノウである。捕食魚の例には、バスやマスが含まれる。下側メッシュ層２２内の餌魚によって消費される食物の例には、植物の根、植物性プランクトンおよび他の藻が含まれる。下側のメッシュ層２２によって提供される生息地は、そうでない場合に池の中に存在するものより大きな餌魚の群生をもたらす。この餌魚のより大きな群生は食物連鎖に複雑性を加え、そうでない場合に藻に利用される栄養分が魚の成長に利用されることによって、水の透明度を促進する。
図９は、魚用の食物および隠れ家を提供するように、この発明の浮島を構成できる一方法を示している。図９に示したより緩いメッシュを含まない実施例でさえ、魚の群生には望ましいことが示されている。特に、この発明の浮島を含む池に生息する魚は、このような池に生息していない魚より大きな魚に実際に成長する。この現象の理由は、この発明の浮島が植物の根の形態で魚が食べる食物を提供するためである。
【００４４】
図１０は、小魚用の保護遮蔽物として不織メッシュを用いる浮島の別の実施例の概略図である。図１０に示した島は、比較的密に詰め込んだ不織メッシュの上部層２１、比較的薄く、緩く詰め込んだ不織メッシュの底部層２２、および層２１と２２を分離するための浮力スペーサ２５からなる。下側層２２内のメッシュの詰め込み密度は、小魚２３が層２２を介して泳ぎ、層２１と２２の間に配置された水ポケット２６内に入ることができるように選択する。水ポケット２６は、小魚２３用の安全な休息および給餌生息地を提供する。この実施例では、下側層２２は小魚用の生息地ではなく、大きな捕食魚に対する遮蔽物として機能するので最小化できる。
【００４５】
図１１は、上で議論した浮島の不織メッシュ実施例と共に用いることができる選択的浸漬機能を示している。図１１は、部分的に沈めた、つまり「浸漬」位置に示した島の断面図である。浸漬機能は、フレキシブルライン２７、プーリ２８、およびアンカブロック２９からなる。この機能の目的は、島の植物の根が池の水面まで延びていないときに（例えば、植物が未発達なときに）、これらの根に水を供給することである。この機能は人間が岸から根を湿らせることができ、スプリンクラを用いる必要がない。根を湿らせるために、岸の上の人はフレキシブルライン２７を引っ張り、プーリ２８を介して矢印で示した方向に引き寄せて島３０を部分的に沈める。この動作によって、水は島本体内の多孔質メッシュに入ることができる。フレキシブルライン２７を離すと、島の浮力によって通常の浮遊位置に戻る。
【００４６】
図１２は、島内の自然の水面上に成長している植物に水を提供するために、選択的「毛細管現象」の機能を備えた島の断面図である。毛細管現象の給水機能は、毛細管３１と吸収性上部カバー３２からなる。池の水は各毛細管３１を介して引き上げられ（方向指示により示される）、吸収性上部層３２に放出され、水面上に成長している植物３３に散布される。管内の水の最大の垂直上昇は、管の直径と水の物理的特性の関数である。水を所定の高さに上昇させるために必要な管の直径を決定するために用いられる方程式の一つは、Ｆｌｕｉｄ  Ｍｅｃｈａｎｉｃｓ（参考文献リスト参照）に式２．１２として提供されている。
【００４７】
ｈ＝（２σｃｏｓθ／γｒ）
ここで、ｈ＝毛細管の上昇（長さ）
σ＝表面張力（単位長さ当たりの力）
θ＝濡れ角
γ＝水の比重
ｒ＝管の半径である。
毛細管３１は、例えば、フレキシブルＰＶＣ管、半剛性ポリエチレン管、または剛性アクリル管等の適切な材料から製造できる。
【００４８】
図１３は、選択的「吸い上げ作用」の機能を備えた島の断面図である。この実施例は図１２の毛細管現象の給水機能と同様であるが、毛細管３１は吸い上げユニット３４に置き換えられている。吸い上げユニット３４は、水に対して有意な吸い上げ効果を有する繊維または同様の材料からなる。この実施例では、水は吸い上げユニット３４を介して吸い上げられ、吸収性上部カバー３２に放出され、植物３３に散布される。
【００４９】
吸い上げユニット３４は好ましくは水のより高い最大上昇が可能で、バイオ汚損されにくいので、所定の用途では毛細管３１であってもよい。繊維吸い上げによる理論的最大上昇を決定するために使用可能な式の一つは、ＡＵＴＥＸ  Ｒｅｓｅａｒｃｈ  Ｊｏｕｒｎａｌ（参考文献リスト参照）で次のように提供されている。
【００５０】
【数１】
2008500062.tif 000003
ここで、Ｈmax＝平衡吸引高さ
Ｎ＝束内の繊維数
Ｒv＝繊維の半径
Ｐ＝束の表面に対する液体の割合
Ｑ＝束の表面に対する濡れていない繊維の割合
μ＝充填量
ρ＝液体の密度
σLG＝液体と空気の界面張力
θ＝接触角
図１２と１３に示した実施例の場合、吸収性上部カバー３２は選択的に種子を植えたり、種子、接着剤、および栄養分の混合物で被覆できる。いずれにせよ、水は図１２に示した毛細管現象、または図１３に示した吸い上げ作用によって種子に散布される。「種子吹き付け」等の適切な手段によって混合物を塗布することもでき、ここで種子、温床紙、および液体接着剤の混合物を島の表面上に圧力下でスプレイし、その後、乾燥して島材料の繊維に接着させる。好ましい実施例では、図１２の毛細管現象と図１３の吸い上げ作用は、この発明の不織メッシュ実施例の一つと共に発生するが、これらの技術革新は生息する植物を含む任意の浮島の実施例と共に用いることができる。
【００５１】
図１４と１５は、浮島が釣鐘状浮遊ユニットを含むこの発明の別の実施例を示している。図１４は、選択的浮遊「釣鐘」を備えた浮島３５の第一断面図である。釣鐘浮遊ユニットは、空気圧縮器３６、配管３７、ソレノイドバルブ３８、制御配線３９、一つ以上の釣鐘４０、および一つ以上の内部空間４１からなる。池の水位４２も示されている。この図では、釣鐘浮遊ユニットは、低浮力位置に示されている。図は二つの釣鐘を備えたシステムを示しているが、任意の数を用いることができる。図１５は、高浮力位置の選択的浮遊「釣鐘」を備えた浮島３５の第二断面図である。
【００５２】
図１４を参照すると、制御配線３９を介して信号を送りソレノイドバルブ３８を開くと、内部空間４１内の圧縮空気を外気に開放できる。内部空間４１内の空気圧が外気圧と平衡になると、内部空間４１内の水位は池の水位４２と釣り合う。ソレノイドバルブ３８の出口における矢印は、内部空間４１から外気に逃げている圧縮空気を示している。平衡状態では、浮遊釣鐘は島に最小の浮遊性を提供し、島は比較的深い水位まで沈む。
【００５３】
島をより浅い喫水まで上昇させるために、制御配線３９を介して信号を送ってソレノイドバルブ３８を閉じる。同時に、圧縮器３６をオンにして、配管３７を介して内部空間４１に空気を流す。この空気は内部空間４１内の空気圧を増大し、釣鐘４０の底部から水の一部を押し出す（言い換えると、内部空間４１内の水と置き換える）。内部空間４１内の水が空気に置き換えられると、釣鐘ユニットの浮力が上昇し、浮島の全体の浮力を増大し、島３５が部分的に水から上昇する。水位は、内部空間４１内で所望の空気の体積が実現されたとき、圧縮器を切断することによって最小と最大の間の所望のレベルに設定できる。
【００５４】
釣鐘４０は、空気を通さず、強く、軽量で耐久性のある適切な材料から製造できる。適切な材料には、ポリエチレン等の熱可塑性材料、発泡スチレン等の発泡熱可塑性材料、米国Ｆｒａｕｎｈｏｆｅｒによって製造されているＦＯＡＭＩＮＡＬ等の独立気泡発泡金属が含まれるが、それらには限定されない。この用途での使用を約束する別の材料には、ＬｉｑｕｉｄＭｅｔａｌ  Ｃｏｒｐｏｒａｔｉｏｎおよび他の会社によって現在テストされている発泡アモルファス金属がある。
【００５５】
内部空間４１は、空気および水の両方を透過可能な高多孔質材料を選択的に充填できる。この高多孔質材料は、ポリエステルメッシュ（ＡｍｅｒｉｃｏのＰＯＬＹ−ＦＬＯなど）、連続気泡発泡金属（ＥＲＧ  Ｍａｔｅｒｉａｌｓ  ａｎｄ  ＡｅｒｏｓｐａｃｅのＤＵＯＣＥＬ発泡アルミニウム等）、または連続気泡発泡アモルファス金属を含む適切な材料から構成できるが、それらには限定されない。内部空間４１に多孔質材料を充填する利点の一つは、有用な微生物が成長するために別の表面領域を提供することである。別の利点は、釣鐘ユニットにさらに強度と剛性を提供することである。
【００５６】
釣鐘浮遊ユニットは、浮島の全体の浮力を調整する方法を提供し、島の喫水を人間が手動で調整できるようになる。この方法は、任意の浮島の実施例と共に使用できる。この機能の利点の一つは、ほぼ沈んだ位置に島を一時的に下げ、それから通常の位置に戻すことによって、通常の水面より上に配置された植物や種子に周期的に水を提供することである。別の利点は、植物の成長によって生じる負の浮力を補償するために、浮島に浮力を追加することである。
【００５７】
図１６は、浮島に種子を蒔く素早く簡単な手段を提供する組み立て式種蒔き製品を示している。種子ブランケット４３はマット状で、比較的薄く柔軟であり、格納および発送のために巻き取ることができる。種子ブランケット４３は浮島の上に広げ、整備ピン（図示せず）または他の適切な留め具を用いて所定の位置に固定することによって配置する。種子ブランケット４３は、下側種子格納層４４、中間複合種子層４５、および上側種子格納層４６を含む三層から構成する。複合種子層４５は、所定の水生植物の種子４７と選択的バインダ４８から構成する。バインダ４８は、接着剤や保湿剤を有することができる。
【００５８】
下側格納層４４の目的は、島のメッシュ本体を介した種子の落下を防ぐことである。下側格納層４４は、植物の根を通過可能なまま種子を保持する適切な材料から構成できる。下側格納層の適切な材料の例には、微細不織ポリエステルメッシュ（ポリエステル空気フィルタ材料等）、粗い織布（チーズクロス等）、および熱可塑性エラストマ（ＴＰＥ）が含まれる。
【００５９】
上側格納層４６の目的は、種子が発芽し定着する前に空気や水の流れによって種子が損失しないようにすることである。上側格納層４６の厚さと密度は、発芽した植物が上側格納層４６を貫通し、日光に曝されるのを妨げるほど大きくしてはならない。上側格納層４６用の適切な材料の例には、微細不織ポリエステルメッシュ（ポリエステル空気フィルタ材料等）、粗い織布（チーズクロス等）、およびＴＰＥが含まれる。いくつかの例では、上側格納層４６に比較的薄く透明な材料を用い、下側格納層４４により厚く、密な材料を用いることが望ましいことがある。他の例では、上側および下側格納層４４、４６の両方を同じ材料または同様の材料から構成することが望ましいこともある。
【００６０】
上記の実施例に加えて、この発明は、一人以上の人間の重量を支持するように設計した浮島のより大きな形態を含んでいる。この設計の利点は、島の表面を歩き回って、島の表面の局所的な領域を一時的に水面まで押し込むことによって、浮島上で成長している植物に給水できることである。
【００６１】
図１７は、より大きな浮島の別の第一実施例の断面図である。この実施例では、浮島は、不織メッシュ材料４、浮力瘤５、補助浮遊ユニット４９、および踏みパッド５０から構成する。浮力瘤５は、植物と不織メッシュ材料４の水上部の重量を支持するように設計する。補助浮遊ユニット４９は一人の人間の重量を支持するように各々設計し、適切な浮力と耐久性のある材料から構成できる。浮遊ユニットの適切な材料の例には、ポリウレタン発泡シール剤および独立気泡高分子発泡体が含まれる。踏みパッド５０は滑らない歩行面を提供して歩行可能な領域を示し、適切な耐久性と滑り止めを備えた材料から構成できる。踏みパッドの適切な材料の例には、屋外用敷物材や成形ガラス繊維からなる合成石が含まれる。浮力瘤は必要であってもなくてもよく、補助浮遊ユニットによって提供される浮力の度合いに依存する。
【００６２】
図１８は、より大きな浮島の別の第二実施例の断面図である。図１８に示した島の設計は、図１７に示した島の特徴に加えて負荷分散部材５１を有する。人間が特定の踏みパッド５０に乗ると、負荷分散部材５１は人間の重量をいくつかの補助浮遊ユニット４９に分散させ、そうでない場合に踏みパッドが下向きに移動する距離を低減する。この下向きの移動の低減は、図１７に示した設計より安定な歩行面を提供する。負荷分散部材は、適切な耐久性、軽量および剛性材料から構成できる。負荷分散部材の適切な材料の例には、ＰＶＣパイプとアルミニウムチャネルが含まれる。この用途に特によく適応できる別の二つの材料は、発泡金属およびアモルファス発泡金属（現在開発段階）である。熱可塑性材料に比べて、これらの材料は極めて高い強度対重量比と長期耐久性を示す。
【００６３】
島によって支持される点負荷（人間等）による島面の必要な負荷分散を提供するために（それによって局所的な沈下を防ぐ）、負荷分散部材は十分な剛性を持たなければならない。パイプの剛性は、パイプの直径、パイプの壁厚、およびパイプ材料の曲げ弾性率の関数である。ＡＳＴＭ規格Ｄ７４７−０２によって測定されるように、島の大きさと設計負荷に依存して、有用なパイプの直径は約１〜１８インチ、壁厚は約１／１６〜１インチ、曲げ弾性率は約５，０００〜５００，０００ポンド／インチ（ｐｓｉ）の範囲である。これらの同じ原理は、ホース、または負荷分散部材を構成する他の任意の材料に適用できる。
【００６４】
図１７と１８に示した島は、水際近くの現場で組み立てることもできる。この現場で組み立てる方法を用いる場合、トラックまたは他の機械装置を用いて、水に島を押し込むか引き込むことによって島を展開できる。設置中の島構造の損傷を防ぐために、トラックまたは他の機械装置に接触する島の端部は、負荷保持保護カバーや負荷分散保護カバー（図示せず）を用いて強化できる。このカバーは、ポリプロピレンまたはＰＶＣシート等の半剛性熱可塑性材料から構成できる。
【００６５】
図１９は、人工踏み石５２と人工木の大枝５３の平面図を示している。これらの品目は、ＣＡＳＴ  ＡＬＬ等の浮力、剛性および耐久性材料から構成でき、ＣＡＳＴ  ＡＬＬはカリフォルニア州ランチョコードヴァのＷｅｓｔｃｏ  Ｓｕｐｐｌｙから入手可能な二つの部分に膨張可能な高分子発泡体である。
【００６６】
図２０は、図１９に示した人工踏み石５２と人工木の大枝５３を用いるための三つの別の方法を示している。左の例では、踏み石浮遊組み立て品５４は、下側踏み石５５、上側踏み石５６、および接続ケーブルユニット５７からなり、接続ケーブルユニット５７は踏み石５５、５６を島本体５８にしっかりと接続する。島本体５８は、前に説明した任意の種類の島から構成できる。接続ケーブルユニット５７は、プラスチックロープまたは防錆金属ケーブルから構成できる。島本体５８が普通に浮いている場合、下側踏み石５５は沈み、島構造に浮力を提供する。島構造が異常に沈むと（例えば、人間が島に乗ると）、上側踏み石５６も部分的にまたは十分に沈み、構造にさらに浮力を提供する。
【００６７】
中央の例では、踏み石／垂直浮力部材浮遊組み立て品５９は、人工踏み石５２と垂直設置浮力部材６０から構成する。浮力部材６０は、空気充填または独立気泡充填プラスチックパイプまたは他の同様の材料から構成できる。浮力部材６０は、接着剤（図示せず）、ケーブルタイ（図示せず）または他の既存の手段によって島本体５８に接続できる。
【００６８】
右の例では、浮遊木の大枝組み立て品６１は、下側の人工木の大枝６２、上側の人工木の大枝６３、および接続ケーブル組み立て品５７から構成する。下側の木の大枝６２は通常は沈み、島構造に浮力を提供する。上側の木の大枝６３も部分的または十分に沈むと、構造にさらに浮力を提供する。当然のことながら、浮力部品（踏み石５２、５５、５６および木の大枝５３、６２、６３）は、独立気泡発泡ブロックまたはシリンダ（図示せず）等の既存の浮力建築材料と置き換えることもできる。しかし、踏み石５２、５５、５６および木の大枝５３、６２、６３の自然な形状は構造に美的魅力を提供する。
【００６９】
図２１は、浮力を調整できるように、任意の浮島構造と共に用いることができる枠組みの斜視図である。好ましい実施例では、それは不織メッシュ島と共に用いられる。図２１は、浮力可変、剛性枠組み６４の水平部品と垂直部品を示している。水平部材６５は、中空プラスチックパイプまたは他の同様の材料から構成する。これらの水平部材６５は、島（図示せず）のメッシュ基材本体の下または内部のいずれかに設置できる。構造の全体の浮力は、水平部材が水面下に設置されるように設計する。選択的に、水、空気、または両方の組み合わせを部材の内部空間に充填することによって、水平部材６５の浮力を調整できる。一実施例では、空気制御バルブ６７を外気に開くと、水管６６を介して水平部材６５に水が入る。水は圧縮空気を空気管６８に押し込み、水管６６から水を押し出すことによって、水平部材６５から移動できる。水が移動した後、空気制御バルブ６７を閉じ、水が再び構造内に入らないようにする。また、浮力を増大させるために、水平部材に発泡体を充填することもできる。島の浮力は、水平部材を追加することによっても増大できる。
【００７０】
図２２に示した別の実施例では、水平部材は穴開きパイプ領域６９と、内部の膨張可能な袋７０から構成する。この図では、パイプ領域６９の中央部を除去して、膨張可能な袋７０を示している。膨張可能な袋７０は収縮状態で示されており、水は穴７１を介して穴開きパイプに入ることができる。膨張可能な袋７０が収縮している場合、水平部材は低浮力状態である。水平部材の浮力を増大させるために空気制御バルブ６７を開いて、空気管６８を介して膨張可能な袋７０内に圧縮空気を押し込む。膨張可能な袋７０が膨張すると、水は穴７１を介してパイプから押し出されて浮力が増大する。所望の度合いの浮力を提供するために、膨張可能な袋７０に十分な空気を充填した後、空気制御バルブ６７は閉じることができる。長い間にパイプにクラックが入ったり漏れが生じても、膨張可能な袋７０が浮力を維持できるので、この実施例は単にパイプに空気を充填するより、水平部材の浮力を変更するより信頼可能な方法を提供できる。パイプ６９は膨張可能な袋７０の保護カバーとして機能し、浮遊する残骸や動物によって穴が開いたり摩耗損傷しないようにする。
【００７１】
再び図２１を参照すると、下側垂直部材７２と上側垂直部材７３によって剛性枠組み６４に別の浮力を調整でき、垂直部材７２、７３は中空プラスチックパイプまたは同様の材料から構成する。好ましい実施例では、垂直部材７２、７３は、ネジまたは別の適切な非恒久的接続部で結合する。また、垂直部材は恒久的に結合することもできる。垂直部材７２、７３の内部は開いたままであっても、膨張可能な発泡シール剤（例えば、Ｄｏｗ  ＣｈｅｍｉｃａｌのＦＲＯＴＨ−ＰＡＣ）等の浮力材料で選択的に充填することもできる。下側垂直部材７２の下側端部は、水密エンドキャップ７４でシールする。枠組み６４の浮力は、矢印で示したように襟部７５内で垂直部材７２、７３を上下にスライドさせることによって調整される。比較的少量の浮力が望ましい場合、下側垂直部材を最大高さまで持ち上げ、固定ピン７６でその位置に固定でき、固定ピン７６は固定ピン穴７７を介して配置される。必要であれば、上側垂直部材７３を下側垂直部材７２から取り外すこともできる。
【００７２】
構造の浮力を上昇させるには、固定ピン７６を外し、垂直部材７２、７３を下向きに水中により深く押し込む。それから、固定ピン７６を用いて、垂直部材を新しい位置に固定する。必要であれば、上側垂直部材７３の上部に、別の垂直部材（図示せず）を接続し、垂直部材はさらに水中深くに配置することもできる。固定ストラップ７８は、島（図示せず）のメッシュ基材本体に接続した枠組み６４を保持するために用いられる。
【００７３】
浮島に浮力を提供するのに加えて、枠組み６４は剛性負荷分散下部構造を提供し、島上を歩く人間の重量を支持するのに役立つことができる。枠組み６４の設計によって、浮力が島の表面全体に均一に分散できるようにし、そうでない場合に、島本体内に配置された未接続の浮力瘤によって生じる「高スポット」や「低スポット」を取り除く。構成後、浮島構造を岸から進水させることは、枠組みの水平部材６５に別の選択的車輪７９やスキッド８０を追加することによって容易にできる。車輪やスキッドは、好ましくは浮力を有する。水平部材が十分な剛性を有する場合、それらはスキッドとして機能して島の進水を容易にし、基材を損傷することもなく別個のスキッドを追加する必要もない。
【００７４】
図２３は、浮島用の浮力調整型枠組みのさらに別の実施例を示している。この実施例では、枠組みは、組み立て式浮遊管８１と組み立て式交差部材８２から構成する。各浮遊管８１は、保護パイプ８３、膨張可能なチューブ７０、空気管６８、および空気制御バルブ６７から構成する。組み立て式交差部材８２は各々、ストラップ８４、複数のパイプ位置決め器具８５、および複数の島本体接続支柱８６から構成する。浮遊管８１の目的は島構造に浮力を提供し、島表面に剛性を提供することである。交差部材８２の目的は浮遊管を適切な間隔で保持し、島表面にさらに剛性を提供し、島本体に枠組みを接続する手段を提供することである。保護パイプ８３の目的は、膨張可能なチューブ７０の損傷を防ぐことである。膨張可能なチューブ７０、空気管６７、および空気制御バルブ６８の目的は各浮遊管８１の浮力を別個に変更し、島表面全体の浮力を調整でき、島に配置された（またはその上で成長した）異なる負荷や不均一な負荷を補償するために使用可能にすることである。各浮遊管８１の浮力は、膨張可能なチューブ７０の膨張度合いを増大させ、浮遊管８１の内側から水を移動させることによって増大させる。浮力は、膨張可能なチューブ７０内の膨張度合いを低減し、浮遊管８１内に水を浸入可能にすることによって低下させる。
【００７５】
好ましい実施例では、交差部材８２は、５フィート、１０フィートおよび１５フィート等のいくつかの標準的な長さで製造される。ストラップ８４は、亜鉛メッキ鋼チャネル、アルミニウム配管または剛性プラスチック管等の比較的剛性のある耐腐食性材料から構成できる。パイプ位置決め器具８５は、既存の手段によってストラップ８４に二つ一組で取り付け、パイプ８３の両側に配置される。島本体接続支柱は、島本体（図示せず）内に切り込んだ穴を介して突出している。ナットおよびワッシャ（図示せず）は、島本体に接続支柱８６を固定するために用いられる。浮遊管８１は、５フィート、１０フィートおよび１５フィート等のいくつかの標準的な長さで製造できる。それらは、図２２と共に既に説明したような材料から構成する。
【００７６】
図２３に示した枠組みは、組み立て式浮遊管８１と交差部材８２の適切な組み合わせを用いることによって、任意の自由形態の島形状に適合するように素早く組み立てることができる。交差部材８２は、浮遊管８１上に交互に配置することができる。この構成は、島本体に平坦なベースを提供する。この図ではパイプ位置決め器具８５はブラケット型固定具からなるように示されているが、既存の任意の位置決め固定具を用いることができる。交差部材は長方形の断面となるように示されているが、アングル、チャネル、チューブ等の他の断面形状を用いることもできる。
【００７７】
図２４と２５は、植物の成長または他の条件によって、時間的に全体の浮力が減少する島に浮力を追加する二つの異なる方法を示している。必要であれば、これらの方法は島を水から移動させることなく用いることができる。
【００７８】
図２４は、単一接続点浮遊ユニット８７を備えた島の断面図を示している。左および中央の浮遊ユニット８７は、接続のために有棘スパイク８８を用いる。有棘接続スパイク８８は、アルミニウム等の防蝕性金属、またはＰＶＣ等の剛性プラスチックから形成できる。浮き８９は、市販の魚網用浮き、または適切な浮力と耐久性のある材料から形成した同様の物体であってもよい。スパイク８８は、浮き８９の穴内に配置する。図の左の浮遊ユニット８７は、島本体５８に取り付け前に示されている。矢印は、島本体５８の底部に浮遊ユニット８７を押し込むために必要な移動方向を示している。スパイク８８の頭部の棘は、島本体５８のメッシュ材料内に浮遊ユニット８７を押し込み、浮遊ユニット８７が抜けないようにする。中央の浮遊ユニット８７は、棘を島本体５８に挿入した後の取り付け位置を示している。右の浮遊ユニット８７は、保持ピン９１によって人工の岩または他の浮力機能９０に取り付けて示されている。
【００７９】
図２５では、二重リングブイ９２が、既存のスナップ式９３によって整備ピン１２に取り付けられている。整備ピン１２は、最初に構成中に島本体５８内に設置することも島を構成した後に設置することもできる。
【００８０】
図２６は、この発明の浮島上に装置または付属品を取り付けるための受け取り部の使用を示している。図２６では、十分に貫通している受け取りユニット９４は、島本体５８の左の部分に設置するように示されている。十分に貫通している受け取りユニット９４は、一定の長さのパイプ９５、下側フランジ９６、および上側フランジ９７から構成する。パイプ９５は、ネジ込み式端部コネクタまたは接着結合部を介してフランジ９７、９８と結合できる。パイプ９５は、島本体５８に切り込み、ドリル、もしくは形成した穴（図示せず）を介して設置する。部分的に貫通している受け取りユニット９８は島本体５８の右側に示されており、上側フランジ９７と、島本体５８の下側端部に貫通していない一定の長さのパイプ９５から構成する。受け取りユニット９４、９８の主な目的は、太陽電池パネル、風力発電機、または特定の島構成に望ましい装飾品（図示せず）等の装置または付属品用の取り付け位置を提供することである。島上には、複数の受け取りユニット９４、９８を設置できる。受け取りユニット９４、９８の第二の目的は、島本体内の材料の複数の層を共に固定する手段を提供することである。
【００８１】
図２７は、岸辺を補強するために、この発明の浮島を用いる方法を示している。この図では、保護浮遊構造９９は、不織メッシュ機材４、浮力瘤５、および選択的植物３３から構成する。既存のアンカまたは繋ぎ部（図示せず）を用いて、岸辺１００に対する構造９９の位置を保持することもできる。構造９９は、波１０１に対するエネルギ吸収ダンパとして機能することによって岸辺１００の浸食を防ぐために用いることができる。構造９９は保護遮蔽部として機能し、浮遊物（ボートまたは木材等、図示せず）が岸辺１００に衝突しないようにする。浮島の深さは、どの程度の岸辺または土手の浸食保護が望まれても適応できるように調整できる。
【００８２】
上記の実施例のいずれに対しても、さらに影領域および植物成長領域を提供するために、中央の主浮島の周辺に別の薄く軽量な島モジュールを取り付けて島の水質改善機能を向上できる。これらの別の島モジュールは、浮力材料を含浸した単層の不織メッシュ材料または同様の適切な材料から構成できる。中央の浮島はより大きな植物を支持できるが、これらの「衛星の」モジュール島は草やスゲ等のより低い植物を支持できる。さらに、必要であれば、さらに美的効果のために、この発明の実施例はいずれも人工の草木と組み合わせることができる。
【００８３】
図２８は、単一の大きな島を構成するために接続した同一の量産型の浮島（不織メッシュ材料からなる）のグループを示している。図２８は四つの同一の量産型の島１０２の平面図であり、島１０２は四つのコネクタ１０３を用いて結合し、モジュール型島構造１０４を構成する。コネクタ１０３は、不織基材材料から構成する。コネクタ１０３は、接合成長媒体（以降で説明）または植物の成長を促進する他の材料を用いて選択的に処理できる。コネクタ１０３の植物維持能力は、視覚的魅力と構造の生物学的密度に寄与し、量産型の島１０２はコスト効率のよい製造技術を提供する。
【００８４】
この発明のさらに別の実施例では、同心円の複数の切り抜きによって複数の島を提供し、構成コストを低減する。図２９は、中央部を取り除き、第二の島１０６と、第一の島内の中央開口部１０７を形成した第一の島１０５を示している。第二の島１０６の中央部も同様の取り除き、第三の島１０８と、第二の島１０６内の中央開口部１０９を形成する。
【００８５】
図２９に示した複数の同心円状の切り抜き設計は、島の構成に必要な材料を著しく低減して製造コストを著しく節約する。図２９は全部で三つの島を示しているが、この数は第一の島１０５の大きさと、最後の島に必要な大きさに依存して変化する。
【００８６】
図３０は、複数の同心円状の切り抜き法を用いて形成した骨組み島１１０の斜視図である。骨組み島１１０は、骨組み１１１、床１１２、一つ以上の選択的分割部１１３、および浮力導入部１１４から構成する。骨組み、床および分割部は全て、好ましくは不織メッシュ材料から構成する。
【００８７】
図３１は、図３０の骨組み島１１０のラインＢ−Ｂにおける断面図を示している。図３１に示したように、骨組み島１１０は、骨組み１１１、床１１２、分割部１１３、浮力導入部１１４、土成長媒体１１５、土ベース植物１１６、および基材ベース植物１１７から構成する。基材ベース植物は、不織メッシュ材料からなる島の一部の上に成長した直物である。基材ベース植物は、基材内に設置した種子または根の付いた植物から始まっていてもよい。種子は基材の上部に蒔くことも、適切な接着剤で基材繊維と選択的に結合させることもできる。根の付いた植物は、基材内に切り込んだ穴に設置する。
【００８８】
土成長媒体１１５は、泥炭等の天然の有機物１１８と、不織ポリエステル屑材料片等の合成有機物１１９から構成する。接合成長媒体（図示せず、以降でより十分に説明する）は、骨組み１１１、床１１２、または分割部１１３の一つ以上に導入できる。接合成長媒体は、種子の発芽および植物の成長のために耐久性のある環境を提供する。
【００８９】
土ベース植物１１６と基材ベース植物１１７の相対的な成長速度は、栄養分の濃度、および土成長媒体１１５と骨組み１１１の内部空間を調整することによって制御できる。例えば、骨組み１１１内の栄養分レベルより土成長媒体１１５内の栄養分レベルを高く設定することによって、基材ベース植物１１７は根の成長がより速くなり、土ベース植物は上部の成長がより速くなる。同様に、植物の成長速度は、土成長媒体１１５と骨組み１１１内の内部空間の割合を調整することによって操作できる。例えば、天然の有機物１１８により多くの合成有機物１１９を加えることによって土成長媒体１１５内の内部空間の体積を増大し、土成長媒体１１５内の微生物およびマクロファイトの成長速度を増大できる。
【００９０】
上記の骨組みの実施例では、島の異なる領域の植物の根の成長速度を操作し、魚および野生生物の生息地としての島の価値を改善できる。好ましい実施例では、周辺領域（骨組み）の栄養分レベルは、周辺にさらに栄養分を追加することなく結合剤を用いることによって比較的に低レベルに設定し、中央の土成長媒体の領域の栄養分レベルは、土成長媒体混合物内に栄養添加剤を配置することによって比較的高いレベルに設定する。この実施例では、周辺領域の植物の根は栄養分を求めて基材を貫通して池の水内に素早く成長し、水面下の周辺の根の「カーテン」を形成する。逆に、中央の栄養分が豊富な土成長媒体の領域の植物の根は、比較的小さな根の量から十分な栄養分を得ることができ、従って、これらの根は徐々に基材を貫通し下の水の到達する。この手段によって、水面下の根の領域は、島の下に比較的長く、密な外側リングと、比較的短くわずかな根の中央領域を備えた領域を形成する。この実施例では、より大きな捕食魚は外側リングによって排除されるので、内側の領域で隠れ家や食物を探す小魚には魅力的である。
【００９１】
この発明の骨組み島実施例は、その全表面領域で植物の成長をサポートできるが、既存の「浮遊プランタ」は周囲に不透性の浮遊リングを有し、前記リングは植物の成長をサポートできない。全表面で植物の成長をサポートするこの発明の骨組み島実施例の能力は、水質用途に著しい利点を提供し、さらに既存の浮遊プランタより自然で視覚的に魅力ある外観を提供する。
【００９２】
骨組み１１１と床１１２の切り込み成形からの不織メッシュ屑材は、合成有機物１１９の低コスト源を提供できる。合成有機物１１９を追加することも、土成長媒体１１５の飽和重量を低減し、骨組み島１１０を浮かせるために必要な浮力導入部１１４の体積を低減できる。
【００９３】
図３２は、骨組み島に植物および土成長媒体を設置するための別の二つの実施例を示している。図３２は、分割部１１３で分離した二つの成長区画１２０と１２１、および設置前に示した組み立て式プランタユニット１２２を備えた骨組み島１１０の側断面図である。第一成長区画１２０は、土成長媒体１１５、植物１１６および種子（図示せず）を手で成長区画１２０内に配置することによって充填する。第二成長区画１２１は、矢印で示したように、区画内に組み立て式プランタユニット１２２を配置することによって充填する。組み立て式プランタユニット１２２は、骨組み島とは別個に成長させ発送して展開場所で設置できる。組み立て式プランタユニット１２２は、設置前に専門的に植物を栽培できること、容易な設置と交換、およびコスト節約を含む所定の利点を有することができる。
【００９４】
組み立て式プランタユニット１２２は、シェル１２３、土成長媒体１１５、選択的植物１１６および選択的種子（図示せず）から構成する。シェル１２３は、水が浸透でき、植物の根が貫通可能なコイヤまたは不織ポリエステル基材等の材料から構成する。
【００９５】
土成長媒体１１５は、所定の状態に植物の成長を最適化するためにｐＨ緩衝剤または改質剤を有することができる。例えば、島を酸性の池に展開する際、植物が中性またはアルカリｐＨの水を好む場合、土成長媒体は炭酸カルシウムまたは他の同様の材料を有することができ、植物の根の周りの水のｐＨを増大させて、それらの早い成長段階でこれらの根に最適化された成長環境を与える。同様に、島をアルカリ水に展開する際、植物が中性または酸性のｐＨを好む場合、水のｐＨを低減する材料を土成長媒体１１５に追加できる。泥炭は、酸性のｐＨ環境を提供可能な材料の一例である。
【００９６】
この発明はさらに、水生植物を発芽および成長させるように最適化した接合成長媒体を含んでいる。この発明の接合成長媒体は具体的には、浮島の構成要素として用いるために設計されているが、他の用途にも同様に用いることができる。以降で十分に説明するように、接合成長媒体は複数の選択的特徴を含み、様々な条件および様々な植物の種類と共に使用するために最適化できる。接合成長媒体は以降では、連続的基材の表面を有する島と共に用いるように説明されているが、骨組み島の実施例と共に用いることも同様に十分可能である。
【００９７】
図３３は、接合成長媒体を備えた浮島１２４の平面図であり、植物の成長前を示している。図３４は、接合成長媒体の第一実施例の図３３の領域Ｃ−Ｃにおける断面図であり、接合成長媒体１２５は浮島１２４の外面に取り付ける。図３４に示した島１２４は、接合成長媒体１２５、多孔質基材１２６、浮力導入部１２７、および選択的毛細管チャネル１２８から構成する。多孔質基材１２６は、植物の根が貫通可能な軽量の多孔質材料から構成できる。適切な材料の一例は、Ａｍｅｒｉｃｏによって製造されているＰＯＬＹ−ＦＬＯフィルタメッシュである。浮力導入部１２７は、独立気泡発泡体またはポリウレタンスプレイ発泡体等の無毒の浮力材料から構成できる。毛細管チャネル１２８は基材１２６内に切り込んだ垂直の穴であり、適切な吸い上げ材料を充填する。毛細管チャネル１２８の目的は、島基材１２６を介して水を輸送し、島上および端部の接合成長媒体１２５に供給することである。第一実施例では、毛細管チャネル１２８の吸い上げ材料は、泥炭、ポリエステル布、または他の適切な天然物または合成物から構成する。第二実施例では、毛細管チャネル１２８は、接合成長媒体で充填する。
【００９８】
図３５に概略的に示したように、接合成長媒体１２５は、泥炭繊維（または同様の材料）１２９、バインダ１３０、選択的組み込み種子１３１、選択的上部被覆種子１３２、選択的栄養分粒子１３３および選択的浮力ペレット１３４から構成する。他の選択的材料（図示せず）には、寸断した紙、寸断した木、および軽量合成材料が含まれる。接合成長媒体内に、菌類およびバクテリアを含む有用な微生物（図示せず）を選択的に有することもできる。接合成長媒体の構成要素を変更することによって、保水、浮力、栄養分レベル、ｐＨ、多孔質、内部空間体積、および他のパラメータを修正し、所定の種類の植物（例えば、水生ｖｓ顕花陸生）、水域（例えば、アルカリ性または酸性）、特定の島形状（例えば、低浮遊ｖｓ高浮遊）に対して最適化でき、さらに有用な微生物の成長に最適な環境を形成することさえできる。
【００９９】
泥炭繊維１２９の第一の目的は、水を保持し、放射日光のエネルギを吸収し、植物の発芽および成長に最適な条件を提供することである。泥炭繊維１２９の第二の目的は、天然の視覚的に魅力的な表面を提供することである。泥炭繊維の第三の目的は、基材内の繊維が太陽光に触れないようにして、基材内の藻の成長を妨げることである。泥炭繊維の第四の目的は、植物の根に隣接する水のｐＨを低減することである。バインダ１３０の目的は、泥炭繊維１２９と種子１３２、１３３を基材１２６に付着させ、風や波の作用によってそれらが失われないようにすることである。栄養分粒子１３３は、市販の低速開放肥料または同様の材料から構成できる。浮力ペレット１３４は、パーライト、ポリスチレン、または他の軽量独立気泡材料から構成できる。特定の用途で必要とされる場合、浮力ペレットは構造にさらに浮力を提供する。
【０１００】
接合成長媒体１２５の第一の目的は、種子および植物に最適な成長環境を提供することである。接合成長媒体１２５の第二の選択的目的は、島の外面の周りに低透過性ガス障壁を提供し、微生物が生成した水蒸気やガスを島の本体内に捕捉することである。水蒸気は植物の根の「空気刈り込み」を最小にし、他のガスは島構造に別の浮力を提供する。接合成長媒体１２５はさらに保護剤として機能し、周囲の日光の紫外線（ＵＶ）によって、基材１２６や浮力導入部１２７が劣化しないようにする。ＵＶ保護は泥炭繊維または同様の材料１２９の天然の光吸収性によっても提供でき、接合成長媒体１２５のＵＶ保護は塗布前に未硬化の接合成長媒体にＵＶ遮断剤を添加することによっても促進できる。適切な一般的なＵＶ遮断剤の一例には、カーボンブラックがある。
【０１０１】
一実施例では、バインダ１３０は、連続気泡ポリウレタン発泡体またはセルロール（台所用スポンジと同様）等の多孔質および透過性材料から構成する。この実施例では、バインダは、毛細管チャネル１２８、または島が浮いている水域（図示せず）から種子１３１、１３２および植物に水を移動させる。別の実施例では、バインダ１３０は、ＴＰＥ等の無孔質熱可塑性材料、または他の無孔質、不透性バインダ材料から構成する。この実施例では、泥炭繊維１２９とバインダ１３０の比率は泥炭繊維１２９の割合を十分にして、接合成長媒体１２５を介して水移動媒体として機能するように設計する。
【０１０２】
接合成長媒体１２５は好ましくは未硬化の状態で粘性液体として製造し、硬化後に柔軟な固体に変化させる。未硬化の接合成長媒体１２５は基材上に注ぐかスプレイし、硬化プロセス中に基材１２６と結合させる。浸透領域１３５は、硬化前に接合成長媒体１２５が基材１２６に浸透した場所に生じる。種子が十分生存できるほど未硬化の接合成長媒体１２５の温度が低い場合、製造中に組み込み種子１３１を混合物に追加でき、未硬化の接合成長媒体１２５を基材１２６に塗布した後に、上部被覆種子１３２を未硬化の接合成長媒体１２５上に散布できる。未硬化の接合成長媒体１２５の温度が種子の生存温度を超える場合は、十分に冷却した後、部分的または十分硬化した接合成長媒体１２５に開けた穴を介して組み込み種子１３１を設置でき、既存の無毒の接着剤によって上部被覆種子１３２を付着できる。
【０１０３】
図３６は、共に積層および接合した不織メッシュ材料４の個々の層からなる島１２４を示している。さらに浮力導入部１２７と毛細管チャネル１２８も示されており、それらは図３４で既に説明した項目と同一である。この実施例では、接合成長媒体は、図３４と３５で示したように基材１２６の上部に塗布するのではなく基材層４内に組み込む。
【０１０４】
図３７は図３６の一部の拡大図であり、組み込み接合成長媒体の構成要素を示している。泥炭繊維（または同様の材料）１２９、バインダ１３０、選択的組み込み種子１３１、選択的栄養分粒子１３３、および選択的浮力ペレット１３４は全て、図３４と共に説明した材料と同一である。
【０１０５】
図３６と３７に示した組み込み接合成長媒体は、少なくとも三つの異なる方法で製造できる。第一の方法は、基材の製造プロセス中に、基材層４内に接合成長媒体の構成要素を組み込むことを含んでいる。例えば、基材層４が不織ポリエステルメッシュ（例えば、ＡｍｅｒｉｃｏのＰＯＬＹ−ＦＬＯ）からなる場合、泥炭繊維１２９、栄養分粒子１３３および浮力ペレット１３４を生のポリエステル繊維と共に混合ホッパ内に追加できる。それから、ラテックスバインダを基材に添加する際、全ての材料を共に接合する。
【０１０６】
組み込み接合成長媒体を製造する第二の方法は、積層前に基材の各シートに未硬化の接合成長媒体を注入することを含んでいる。この方法はＡｍｅｒｉｃｏのＰＯＬＹ−ＦＬＯ等の不織メッシュ材料と共に用いることができ、前記材料は一般に２インチの厚さのシートで供給される。基材シートの複数の層は積層および接合し、図３６に示したように浮島を形成する。未硬化の接合成長媒体は、基材の背面に加えた選択的真空補助を用いた加圧スプレイ、基材内に挿入した管を介したポイント注入、または未硬化の接合成長媒体の低粘度混合物の基材内への重力浸透によって基材内に注入できる。
【０１０７】
組み込み接合成長媒体を製造する第三の方法は、接合成長媒体を注入する前に基材層を積層することを含んでいる。注入は、上記のように実現される。この実施例では、接合成長媒体は、基材の層を接合する接着剤として機能できる。
【０１０８】
図１〜５の議論と共に上で暗に言及したように、この発明の不織メッシュ材料浮島の全ての一般的な特徴は、少なくとも二つの点でバイオフィルタとして機能できることである。第一に、島は、島の高分子基材上や、下地基材、成長媒体、または植物の根内に存在する微生物（嫌気性でも好気性でもよい）に池の水内に見られるリンなどの栄養分を曝す。これらの栄養分は、池や植物の衛生に寄与する微生物の維持に役立つ。第二に、島は、池または他の水域全体に、菌類を含むがそれに限定されない所定の有用な微生物を分散させる手段としても機能できる。この微生物の分散は、島を介してフィルタ処理される水が島の微生物の群生の一部を持ち去る際に実現される。これらの有用な微生物は自然に発生させることも、人工的な手段によって浮島上または浮島内に導入することもできる。
【０１０９】
フィルタ効果への寄与に加えて、島上で成長させる植物をそれらの能力に基づいて選択し、水域からリンなどの栄養分の除去に寄与させることもできる。具体的には、大量のリンを用いる湿地性植物には、Ｓｃｉｐｕｓ  ｖａｌｉｄｕｓ（カヤツリグサ）、Ｐｈｒａｇｍｉｔｅｓ  ｃｏｍｍｕｎｉｓ（一般的な葦）、およびＴｙｐａ  ｌａｔｉｆｏｌａ（ガマ）が含まれる。藻が成長する季節にリンを摂取する植物は藻の増殖に利用可能なリンの量を低減し、富栄養化のプロセスに影響を与える。この発明の浮島上で成長させる場合、上に列挙した種類の植物は、浮島を通過する水の全体のリン濃度を４０〜７０％まで低下させる。このプロセスによって除去される栄養分の量は、島の水圧的負荷速度（つまり、水が島を通過する速度）に比例する。水ポンプ等の様々な機構を用いて水圧的負荷速度を上昇させ、除去する栄養分の量を増大できる。さらに、そのフィルタ能力を最大に利用するために、島の構造を調整できる。例えば、水面上の島の形状をより高いレベルまで増大させ、水をフィルタ処理できる未飽和の媒体の体積をより大きくできる。
【０１１０】
この発明のフィルタ効果を向上させるために、配水システムを用いて島の下部から水をポンプで汲み上げ、島の表面全体に散布し、生物学的処理のために島基材の繊維（または不織メッシュ材料）で水を濾過できる。図３８は、ポンプ配水システム１３７を備えた浮島１３６の第一実施例の概略図である。システム内を流れる水の経路は、矢印で示されている。島１３６は、不織メッシュ４と他の材料（図示せず）から構成する。配水システム１３７は、水ポンプ１３８と配水パイプ１３９から構成する。図３９は、配水パイプ１３９を概略的に示す配水システムの平面図である。この特定の配水システムは、上向きの植物の成長を妨げずに、島の表面全体に水を散布するように設計されている。配水システム１３６の目的は、島の下部から未処理の池の水をポンプで汲み上げ、島の表面全体に散布し、生物学的処理のために不織メッシュ４の繊維で濾過できるようにすることである。処理効率を最大にするために、不織メッシュ４の体積全体に水を散布することが重要である。
【０１１１】
図４０は、ポンプ配水システムを備えた浮島の第二実施例の断面図である。システムは、水ポンプ１３８、不織メッシュ島本体１４０、栄養分摂取水生植物１４１、および不透水性容器トレイ１４２から構成する。この説明の目的では、「栄養分摂取水生植物」という用語は、水内に見られる養分を吸収し取り込む水生植物を指す。高効率の栄養分摂取水生植物の一例は、ガマ（Ｔｙｐｈａ属）である。
【０１１２】
図４０に示したシステムは、島の下部から栄養分が豊富な池の水をポンプで汲み上げ、島本体１４０を介して放射状外向きに循環させる。循環させる水の経路は、図の矢印で示されている。選択的気泡１４３は、外部空気源（図示せず）から提供できる。この図では、水ポンプ１３８は島の中央を介して垂直に延びるように示されているが、水ポンプ１３８は島を介して水をポンプで汲み上げることができる任意の方法で配置できる。図の例では、水は中心から島本体１４０を介して端に向かって流れ、トレイ１４２の周辺の貫通穴１４４を介して島本体１４０から排出される。トレイ１４２の目的は、流れる水が島の底部から逃げないようにし、植物１４１が摂取し、島の本体１４０の繊維および植物１４１の根に付着した微生物（図示せず）が処理する露出時間を最大にすることである。
【０１１３】
好ましい実施例では、トレイ１４２は、水と植物の根の両方を通過させないポリエチレン等の軽量プラスチックから構成する。別の実施例では、トレイ１４２は、水は通過できないが、成長する植物の根は貫通できるＴＰＥ等の材料から構成する。島は基本的にトレイ内に配置し、トレイは既存の固定方法によって浮島に取り付ける。
【０１１４】
選択的気泡１４３の目的は、微生物による栄養分の好気性変換速度を上昇させることである。これらの気泡を生成する圧縮空気のエネルギ源（図示せず）は、電気、太陽電池、風力機械、風力発電、または他の適切な手段であってもよい。
【０１１５】
上記の有用な効果に加えて、この発明の浮島は炭素隔離のプロセスも促進でき、これは比較的新しい国際環境政策の主題となっており、炭素を隔離する植物の成長に財政的動機を提供する。炭素隔離は大気から二酸化炭素を摂取し、光合成によって植物内の有機体炭素に変換する植物の成長によって実現される。このプロセスは、大気中の二酸化炭素の濃度を低減することによって、大気中の二酸化炭素の温室効果を低減する。浮島では、二酸化炭素は植物が大気から直接除去することによって低減され、根の群生や島の基材内の水面下で発生する微生物のプロセスによっても低減される。水中に溶解したガス濃度が島によって低減されると、大気の気相と溶解した気相の間で平衡状態を回復するために二酸化炭素が空気から水に移動するので、溶解した二酸化炭素を水から除去すると、それに応じて大気中の二酸化炭素も減少する。浮島は、一般に炭素隔離植物（例えば、松の木）が生存できない場所にも設置できるので、炭素隔離の新規な独自の手段を提供する。
【０１１６】
この発明の浮島は、メキシコ湾内の「デッドゾーン」等の栄養分が豊富で酸素が欠乏した海の領域上に配置できる。「デッドゾーン」という用語は一般に、栄養分の豊富な水が川から海洋に流れ込み、表面近くの海水の藻がそれらの栄養分を消費し、そのプロセスで酸素を生成し、藻細胞が最終的に死滅し、海洋の底に向かって沈んで腐敗する際に酸素を消費する状態を指している。多数の藻細胞が海洋の底部に沈むために、底部の近くの酸素は全て消費され、魚、海ザリガニ、または他の動物のための酸素が水中に残らず、海洋の底部近くに「デッドゾーン」を形成する。デッドゾーン内では、水は栄養は豊富であるが酸素は欠乏している。デッドゾーン上の海洋面近くでは、水は栄養分も酸素も豊富である。
【０１１７】
この状態で、デッドゾーンから島上に水をポンプで汲み上げることができ（例えば、島上の風車によって）、島上で成長する植物に栄養分を提供する。島上の植物は日光のエネルギを使って、空気の二酸化炭素と水の栄養分を組み合わせて植物の質量を増やす。このプロセスは空気から二酸化炭素を除去し（温室効果を低減し）、炭素を植物バイオマスに隔離する。さらに、「デッドゾーン」の水が表面にポンプで汲み上げられると、新しい水がデッドゾーン内に循環し、汲み上げられた水と置き換わる。このプロセスは、デッドゾーンの減少と炭素隔離の二つの有用な効果を実現する。
【０１１８】
海上ベース炭素隔離島のコスト効率を最大にするために、通常の成長および死滅サイクル中に、島の表面に横に広がる植物を選択することによって「自己成長」するように島を設計できる。それら自体の基板を形成し、横に広がることができる海生植物の例には、ＥｕｃｈｅｕｍａおよびＫａｐｐａｐｈｙｃｕｓ属の海草が含まれる。塩分環境に耐えることができる植物の例には、Ｓｅａ  Ｒｕｓｈ（Ｊｕｎｃｕｓ  ｍａｒｉｔｉｍｕｓ）、Ｓｅａ  Ｌａｖｅｎｄｅｒ（Ｌｉｍｏｎｉｕｍ  ｌａｔｉｆｏｌｉａ）および同様の種類が含まれる。塩分環境に耐え、横に広がる植物の成長を促進することによって、最初に設置した島は、長い間により大きく成長する「島の種子」として機能する。
【０１１９】
この発明の浮島の表面積を拡大するために用いることができる別の方法は、Ｂｉｏｍｉｍｉｃｒｙという本のＭｙｔｉｌｕｓ  ｅｄｕｌｕｓ（Ｊａｎｉｎｅ  Ｂｅｎｕｓ，ＨａｒｐｅｒＣｏｌｌｉｎｓ，１９９７）の海生のイガイについて説明されているような生物学的接着結合プロセスを含んでいる。イガイは非常に高凝集性、接着性を備えたタンパク質の架橋撚糸を生成し、イガイが生成した接着剤は水中で適用できる。この接着性材料は浮島の基材繊維を結合し、展開後の島を「成長」させ、および水から堆積物粒子を捕捉し、水の透明度を改善するために役に立つ。「島の成長」は、島の端部に生物学的接着剤を周期的に添加することによって実現できる。接着剤は湿っていても粘着性を備えたままであるので、水に浮いている草、葉および小枝等の破片を捕まえる傾向がある。この破片は島の端部に接着し、植物が成長するための基板を提供して島を横に拡大させる。接着剤はさらに、水に浮かび風に吹かれ島に接触する微細な堆積粒子も捕捉する。生物学的接着剤はイガイによって製造することも、研究所内で合成的に複製することもできる。
【０１２０】
図４１は、ボートの船着場としても機能できる浮島を示している。この機能は、移植、保守、狩猟、魚釣りまたは写真撮影のために島に船を着けるために役立つ。図４１は、ボート結合位置１４６を提供するように設計した形状に構成した浮島１４５の平面図を示している。ボート結合位置１４６は、結合したボートがほとんど島の材料によって取り囲まれるように形成する。低摩耗性パッド１４７（独立気泡ポリエチレン発泡体または微細不織ポリエステルメッシュ）は、結合領域の内周に選択的に配置し、ボートの船体をさらに保護できる。
【０１２１】
一体型のボート結合形状は、いくつかの有用な応用を有する。第一に、不織メッシュ島基材の柔軟性は高波や強風の間にエネルギーを吸収しボートの船体を支持するので、嵐の間にボートを格納するための安全な場所を提供する。第二に、ボート結合領域は、娯楽や保守のために島を訪れている乗客が出入りしている間、ボードを支持する有効な方法を提供する。第三に、島は、既存の船着場が限られていたり高価な場合に、別の船着き施設を提供するために用いられる。第四に、島は、狩猟や野生生物の写真撮影のために、ボートや乗客を隠す手段として用いることができる。図４１の構造は水で囲まれるように示されているが、その構造は岸に取り付け、ボート結合埠頭として機能させることもできる。
【０１２２】
図４２は、この発明の浮島と共に用いることができるアンカ器具を示している。この図は、風の方向にかかわらず浮島を保持するように設計したアンカ１４８の平面図である。アンカ１４８は、図のように、互いに９０°の角度で固定した四つの棘１４９と、四つのリング接続点１５０から構成する。アンカは、リング接続点１５０に各々係留ロープの一端を取り付けることによって、四本の係留ロープ（図示せず）で島を固定するように設計されている。各係留ロープの他方の端部は、島の周囲に沿った接続点に固定する。各棘１４９は、引っ張り方向が棘の点の方向の反対側になったとき、池の底部を捕まえ保持するように設計されている。異なる方向に向いた複数の棘１４９を有することによって、少なくとも一つの棘は引っ張り方向にかかわらず最大の保持能力を有するように適切に配置される。
【０１２３】
この発明の様々な実施例を示し説明してきたが、当業者には明らかなように、発明から逸脱することなく、その広範囲の形態内で多くの変更および修正を行うことができる。従って、添付の請求項は、この発明の真の精神と範囲内にある限り、このような変更および修正を全て含むものとみなされる。
（参考文献）
ＡＵＴＥＸ  Ｒｅｓｅａｒｃｈ  Ｊｏｕｒｎａｌ，Ｖｏｌ．３，Ｎｏ．２，Ａｓｓｏｃｉａｔｉｏｎ  ｏｆ  Ｕｎｉｖｅｒｓｉｔｉｅｓ  ｆｏｒ  Ｔｅｘｔｉｌｅｓ、２００３年６月、６８ページ。
【０１２４】
Ｊｏｓｅｐｈ  Ｂ．ＦｒａｎｚｉｎｉおよびＥ．Ｊｏｈｎ  Ｆｉｎｎｅｍｏｒｅ、「流体力学」、第九版，ＭｃＧｒａｗＨｉｌｌ  Ｃｏｍｐａｎｙ、１９９７年。
【０１２５】
Ｒｏｂｅｒｔ  ＫａｄｌｅｅおよびＲｏｂｅｒｔ  Ｋｎｉｇｈｔ、「湿地処理」、Ｌｅｗｉｓ  Ｐｕｂｌｉｓｈｅｒ、１９９５年。
【図面の簡単な説明】
【０１２６】
【図１】この発明の不織メッシュ実施例の平面図である。
【図２】図１のラインＡ−Ａにおける断面図であり、不織メッシュ島の第一実施例を示している。
【図３】図１のラインＡ−Ａにおける断面図であり、不織メッシュ島の第二実施例を示している。
【図４】図１のラインＡ−Ａにおける断面図であり、不織メッシュ島の第三実施例を示している。
【図５】図１のラインＡ−Ａにおける断面図であり、不織メッシュ島の第四実施例を示している。
【図６】修正した整備ピンを備えた層を取り付ける方法を示す整備ピンの側面図と多層島の部分断面図である。
【図７】メッシュ繊維を切断または溶解することなく、不織メッシュ材料に穴を開けるために用いられる装置の側面図である。
【図８】不織メッシュ材料の屑片から製造した浮島の概略図である。
【図９】小魚に安全および給餌生息地を提供するように設計された浮島の側面図である。
【図１０】小魚の保護障壁として不織メッシュを用いる浮島の別の実施例の側面図である。
【図１１】選択的浸漬機能を示す島の断面図である。
【図１２】選択的「毛細管現象」の機能を備えた島の断面図である。
【図１３】選択的「吸い上げ作用」の機能を備えた島の断面図である。
【図１４】選択的浮遊「釣鐘」を備えたこの発明の一実施例の第一断面図である。
【図１５】高浮力位置に選択的浮遊「釣鐘」を備えたこの発明の一実施例の第二断面図である。
【図１６】組み立て式種子ブランケットの側断面図である。
【図１７】一人以上の人間の重量を支持するように設計した浮島の別の第一実施例の断面図である。
【図１８】一人以上の人間の重量を支持するように設計した浮島の別の第二実施例の断面図である。
【図１９】人工踏み石および人工丸太の平面図である。
【図２０】踏み石、人工丸太、および追加の浮力を提供するための手段を備えた浮島の断面図である。
【図２１】水平部材と垂直部材の両方を含む浮島用枠組みの斜視図である。
【図２２】島の枠組みの別の実施例の斜視図であり、前記枠組みの水平部材は穴開きパイプと膨張可能な袋から構成する。
【図２３】組み立て式の領域からなる浮力調整型浮遊枠組みの斜視図である。
【図２４】単一接続点浮遊ユニットを含むこの発明の一実施例の断面図である。
【図２５】整備ピンを備えた島に取り付けた二重リングブイを含むこの発明の一実施例の断面図である。
【図２６】受け取りユニットを含むこの発明の一実施例の断面図である。
【図２７】不織メッシュ材料から形成したエネルギ吸収および波動減衰浮遊構造の断面図である。
【図２８】単一の島を構成するように接続した同一の量産浮島（不織メッシュ材料からなる）の集まりを示す図である。
【図２９】複数同心円状切り抜き法によって形成した一連の島を示す図である。
【図３０】複数同心円状切り抜き法によって形成した骨組み島の斜視図である。
【図３１】図３０のラインＢ−Ｂにおける骨組み島の断面図である。
【図３２】骨組み島に植物および土成長媒体を設置するための二つの別の実施例を示す図である。
【図３３】植物の成長前に示した接合成長媒体を備えた浮島の平面図である。
【図３４】図３１の領域Ｃ−Ｃにおける接合成長媒体の第一実施例の断面図であり、その接合成長媒体は浮島の外面に取り付ける。
【図３５】接合成長媒体の様々な構成要素を示す図３４の部分拡大図である。
【図３６】共に積層および接合した不織メッシュ材料の個々の層からなる浮島の断面図である。
【図３７】組み込み接合成長媒体の構成要素を示す図３４の一部の拡大図である。
【図３８】浮島上に取り付けた配水システムを概略形態で示した側断面図である。
【図３９】図３８に示した配水システムの平面図である。
【図４０】バイオ処理システムとして使用するために最適化した浮島の断面図である。
【図４１】一体型のボード結合領域を備えた浮島の平面図である。
【図４２】風の方向にかかわらず浮島を保持するように設計したアンカの平面図である。（参照番号）  １  上部層（不織メッシュの実施例）  ２  中間層（不織メッシュの実施例）  ３  底部層（不織メッシュの実施例）  ４  不織メッシュ材料  ５  浮力瘤（不織メッシュの実施例）  ６  切り抜き穴  ７  鉢植え植物ユニット  ８  接着剤  ９  浮き  １０  発泡シール剤  １１  浮力ブロック  １２  整備ピン  １３  整備ピンの湾曲端部領域  １４  鋼鉄スパイク  １５  鋼鉄スパイクの頭部  １６  鋼鉄スパイクの下側端部  １７  電動または空動ドリル  １８  マンドレル  １９  メッシュ材料の屑片  ２０  外側カバー  ２１  密に詰め込んだ不織メッシュ  ２２  緩く詰め込んだ不織メッシュ  ２３  小魚または餌魚  ２４  大きな捕食魚  ２５  浮力スペーサ  ２６  水ポケット  ２７  フレキシブルライン  ２８  プーリ  ２９  アンカブロック  ３０  島（浸漬の実施例）  ３１  毛細管  ３２  吸収性上部カバー  ３３  水面を超えて成長する植物  ３４  吸い上げユニット  ３５  浮島（「釣鐘」の実施例）  ３６  圧縮器  ３７  配管  ３８  ソレノイドバルブ  ３９  制御配線  ４０  釣鐘（浮遊）  ４１  内部空間  ４２  池の水位  ４３  種子ブランケット  ４４  下側種子格納層  ４５  中間複合種子層  ４６  上側種子格納層  ４７  水生植物の種子  ４８  バインダ  ４９  補助浮遊ユニット  ５０  踏みパッド  ５１  負荷分散部材  ５２  人工踏み石  ５３  人工木の大枝  ５４  踏み石浮遊組み立て品  ５５  下側踏み石  ５６  上側踏み石  ５７  接続ケーブルユニット  ５８  島本体（共通）  ５９  踏み石／垂直浮力部材組み立て品  ６０  垂直浮力部材  ６１  浮遊木の大枝組み立て品  ６２  下側の人工木の大枝  ６３  上側の人工木の大枝  ６４  可変浮力、剛性枠組み  ６５  水平部材  ６６  水管  ６７  空気制御バルブ  ６８  空気管  ６９  穴開き管  ７０  膨張可能な袋  ７１  穴開き管の穴  ７２  下側垂直部材  ７３  上側垂直部材  ７４  水密キャップ  ７５  襟部  ７６  固定ピン  ７７  固定ピン穴  ７８  固定ストラップ  ７９  車輪  ８０  スキッド  ８１  組み立て式浮遊管  ８２  組み立て式交差部材  ８３  保護パイプ  ８４  ストラップ  ８５  パイプ位置決め器具  ８６  接続支柱  ８７  浮遊ユニット（単一接続点）  ８８  有棘接続スパイク  ８９  浮き（単一接続点浮遊ユニットの実施例）  ９０  浮力機能  ９１  保持ピン  ９２  二重リングブイ  ９３  スナップ式接続部  ９４  十分に貫通している受け取りユニット  ９５  管（受け取りユニット）  ９６  下側フランジ  ９７  上側フランジ  ９８  部分的に貫通している受け取りユニット  ９９  保護浮遊構造  １００  海岸線  １０１  波  １０２  同一の量産した島  １０３  接続部（モジュール型の島）  １０４  モジュール型の島構造  １０５  複数の切り抜き設計内の第一の島  １０６  複数の切り抜き設計内の第二の島  １０７  第一の島内の中央開口部  １０８  複数の切り抜き設計内の第三の島  １０９  第二の島内の中央開口部  １１０  骨組み島  １１１  骨組み  １１２  床  １１３  分割部  １１４  浮力導入部（骨組み島）  １１５  土成長媒体  １１６  土ベース植物  １１７  基材ベース植物  １１８  天然の有機物  １１９  合成有機物  １２０  第一成長区画  １２１  第二成長区画  １２２  組み立て���プランタユニット  １２３  シェル（組み立て式プランタユニット）  １２４  接合成長媒体を有する島  １２５  接合成長媒体  １２６  多孔質基材（接合成長媒体の実施例）  １２７  浮力導入部（接合成長媒体の実施例）  １２８  毛細管チャネル（接合成長媒体の実施例）  １２９  泥炭繊維（または同様の材料）  １３０  バインダ  １３１  組み込み種子  １３２  上部被覆種子  １３３  栄養分粒子  １３４  浮力ペレット  １３５  浸透領域  １３６  ポンプ配水システムを備えた浮島  １３７  配水システム  １３８  送水ポンプ  １３９  配水パイプ  １４０  不織メッシュ島本体（ポンプフィルタの実施例）  １４１  栄養摂取用に選択した水生植物  １４２  容器トレイ  １４３  気泡  １４４  貫通穴（トレイ）  １４５  浮島（ボート結合の実施例）  １４７  低摩耗性パッド  １４８  複数の風方向に最適化したアンカ  １４９  棘（アンカ）  １５０  リング接続点（アンカ）
【図１】
2008500062.tif 000004
【図２】
2008500062.tif 000005
【図３】
2008500062.tif 000006
【図４】
2008500062.tif 000007
【図５】
2008500062.tif 000008
【図６】
2008500062.tif 000009
【図７】
2008500062.tif 000010
【図８】
2008500062.tif 000011
【図９】
2008500062.tif 000012
【図１０】
2008500062.tif 000013
【図１１】
2008500062.tif 000014
【図１２】
2008500062.tif 000015
【図１３】
2008500062.tif 000016
【図１４】
2008500062.tif 000017
【図１５】
2008500062.tif 000018
【図１６】
2008500062.tif 000019
【図１７】
2008500062.tif 000020
【図１８】
2008500062.tif 000021
【図１９】
2008500062.tif 000022
【図２０】
2008500062.tif 000023
【図２１】
2008500062.tif 000024
【図２２】
2008500062.tif 000025
【図２３】
2008500062.tif 000026
【図２４】
2008500062.tif 000027
【図２５】
2008500062.tif 000028
【図２６】
2008500062.tif 000029
【図２７】
2008500062.tif 000030
【図２８】
2008500062.tif 000031
【図２９】
2008500062.tif 000032
【図３０】
2008500062.tif 000033
【図３１】
2008500062.tif 000034
【図３２】
2008500062.tif 000035
【図３３】
2008500062.tif 000036
【図３４】
2008500062.tif 000037
【図３５】
2008500062.tif 000038
【図３６】
2008500062.tif 000039
【図３７】
2008500062.tif 000040
【図３８】
2008500062.tif 000041
【図３９】
2008500062.tif 000042
【図４０】
2008500062.tif 000043
【図４１】
2008500062.tif 000044
【図４２】
2008500062.tif 000045
【国際調査報告】
2008500062.tif 000046